(57)【要約】【課題】液滴噴射不良を防止しつつ装置の小型化を図ることができる液滴噴射装置及びシート情報読取装置を提供する。【解決手段】装置本体に設けられ且つ搬送路に沿ってシートを略垂直に立てた起立姿勢で搬送する搬送手段と、搬送路の一方側に配置され且つ搬送路を通過するシートに向かってノズルから液滴を噴射する液滴噴射ヘッドと、液滴噴射ヘッドに対向する部分で且つ搬送路の他方側に配置されて液滴噴射ヘッドからの液滴を回収する液滴回収部材とを備え、液滴回収部材は、有底容器形状からなり、装置本体に設けられた装着部に着脱自在であると共に、搬送路側に開口して液滴噴射ヘッドからの液滴を取り込むための液滴取込口と、液滴取込口に対向する液滴回収壁とを有する。【選択図】図４
2011245770.tif 000002
【特許請求の範囲】
【請求項１】
装置本体の端部に沿って形成された搬送路と、
前記装置本体に設けられ且つ前記搬送路に沿ってシートを略垂直に立てた起立姿勢で搬送する搬送手段と、
前記搬送路の一方側に配置され且つ前記搬送路を通過するシートに向かってノズルから液滴を噴射する液滴噴射ヘッドと、
前記液滴噴射ヘッドに対向する部分で且つ前記搬送路の他方側に配置されて前記液滴噴射ヘッドからの液滴を回収する液滴回収部材とを備え、
前記液滴回収部材は、有底容器形状からなり、前記装置本体に設けられた装着部に着脱自在であると共に、前記搬送路側に開口して前記液滴噴射ヘッドからの液滴を取り込むための液滴取込口と、前記液滴取込口に対向する液滴回収壁とを有することを特徴とする液滴噴射装置。
【請求項２】
シートが前記液滴噴射ヘッドに対向するタイミングでシートに向けて液滴噴射を行う印刷処理と、前記液滴取込口に対向する部分にシートが存在しないタイミングで前記液滴回収壁に向けて液滴を噴射する予備噴射処理とを実行可能であることを特徴とする請求項１記載の液滴噴射装置。
【請求項３】
前記液滴回収壁は、垂直壁であることを特徴とする請求項１又は２記載の液滴噴射装置。
【請求項４】
前記液滴回収部材の底面と前記液滴回収壁の壁面とのなす角が鋭角であることを特徴とする請求項１〜３のいずれか１項に記載の液滴噴射装置。
【請求項５】
前記液滴回収壁の壁面は、撥水処理が施された撥水面を含むことを特徴とする請求項１〜４のいずれか１項に記載の液滴噴射装置。
【請求項６】
前記液滴取込口は、前記液滴噴射ヘッドのノズルが複数配列された領域を含む液滴噴射領域よりも大きく且つ前記液滴回収壁よりも小さい開口形状からなることを特徴とする請求項１〜５のいずれか１項に記載の液滴噴射装置。
【請求項７】
前記液滴回収部材は、内部空間が前記液滴取込口から前記液滴回収壁に向かって拡開していることを特徴とする請求項１〜６のいずれか１項に記載の液滴噴射装置。
【請求項８】
前記液滴回収部材の底部側には、前記液滴回収壁に当接するように液滴吸収体が配設されていることを特徴とする請求項１〜７のいずれか１項に記載の液滴噴射装置。
【請求項９】
前記液滴噴射ヘッドは、前記液滴回収壁に沿って移動自在に設けられていることを特徴とする請求項１〜８のいずれか１項に記載の液滴噴射装置。
【請求項１０】
装置本体の外周部に沿って当該装置本体の内側を取り囲むように形成された搬送路と、
前記装置本体に設けられ且つ前記搬送路に沿ってシートを略垂直に立てた起立姿勢で搬送する搬送手段と、
前記搬送路の上流側で且つ当該搬送路の外側に設けられてシートの磁気情報を読み取る磁気ヘッドと、
前記搬送路の下流側に設けられてシートの画像を読み取る画像読取ヘッドと、
前記装置本体に設けられて前記搬送路に沿って搬送されるシートに向かって液滴を噴射する液滴噴射装置とを備え、
前記液滴噴射装置は、前記搬送路の内側に配置され且つ前記搬送路を通過するシートに向かってノズルから液滴を噴射する液滴噴射ヘッドと、前記液滴噴射ヘッドに対向する部分で且つ前記搬送路の他方側に配置されて前記液滴噴射ヘッドからの液滴を回収する液滴回収部材とを有し、
前記液滴回収部材は、有底容器形状からなり、前記装置本体に設けられた装着部に着脱自在であると共に、前記搬送路側に開口して前記液滴噴射ヘッドからの液滴を取り込むための液滴取込口と、前記液滴取込口に対向する液滴回収壁とが設けられていることを特徴とするシート情報読取装置。
【請求項１１】
前記液滴噴射装置は、前記搬送路に配置される前記磁気ヘッドよりも下流側に配置されて、前記磁気ヘッドで読み取った磁気情報の読取結果に基づいてシートに所定の情報を印刷する印刷装置であることを特徴とする請求項１０記載のシート情報読取装置。
【請求項１２】
前記液滴噴射装置は、シートが前記液滴噴射ヘッドに対向するタイミングでシートに向けて液滴噴射を行う印刷処理と、前記液滴取込口に対向する部分にシートが存在しないタイミングで前記液滴回収壁に向けて液滴を噴射する予備噴射処理とを実行可能であることを特徴とする請求項１０又は１１記載のシート情報読取装置。
【発明の詳細な説明】
【技術分野】
【０００１】
本発明は、例えば、インク等の液滴を噴射する液滴噴射装置及びこの液滴噴射装置を搭載したシート情報読取装置に関する。
【背景技術】
【０００２】
液滴を噴射する液滴噴射装置としては、例えば、インク滴を吐出するインクジェット式記録ヘッドが知られている。このようなインクジェット式記録ヘッドは、複数のノズルからインク滴を吐出することによりシート等に所定の記録を行うことができる。
【０００３】
一般的に、このようなインクジェット式記録ヘッドにおいては、ノズル（インク吐出口）近傍への紙粉や埃等の付着、インク詰まり、あるいはノズル内でのインクの増粘や空気混入等、様々な要因からインク吐出不良が発生し、ドット欠けやヨレ等の画像不良を招くことがある。
【０００４】
そこで、このようなインク吐出不良を防止するために、記録動作に入る前に予備吐出処理を行うことが望ましい。予備吐出時のインク滴を受けるためには、記録ヘッドに対向する位置にインク吸収体及びこれを保持する部材等を配置する必要がある。しかしながら、装置の小型化を進める際、インク吸収体等の設置スペースも省スペース化の対象となる。
【０００５】
ここで、上述したインクジェット式記録ヘッドは、シートを搬送しながらシートの画像を読み取る情報読取装置に印刷ヘッドとして実装され、例えば、情報として画像を読み取ったシートに対する印刷処理に使用される（特許文献１参照）。具体的には、この特許文献１に開示された読取装置は、磁気インク文字等の磁気パターンを読み取って磁気インク文字データを取得するための磁気インク文字読取装置である。
【０００６】
なお、このような磁気インク文字読取装置は、用紙を略垂直に立てて装置の外周を囲むように搬送しながら、その用紙に付された磁気インク文字を読み取り、その後、用紙の裏面に所定の印刷を行うようになっている。
【先行技術文献】
【特許文献】
【０００７】
【特許文献１】特開２００６−０６５７７９号公報
【発明の概要】
【発明が解決しようとする課題】
【０００８】
上述した特許文献１に開示の磁気インク文字読取装置では、用紙の搬送路の片側に印刷ヘッドを配置する構成となる。しかし、印刷ヘッドとして上記インクジェット式記録ヘッドを採用した場合、インク吐出不良を防止するために、記録ヘッドに対向してインク吸収体を設置する必要性がでてくる。このような事情から、磁気インク文字読取装置の小型化、特に装置の幅寸法を小さくするのが難しいという問題がある。
【０００９】
一方、印刷ヘッドから顔料等のインクを用いて予備吐出を行う場合、始めのうちはインク吸収体によってインクの吸収は効率よく行われるが、時間が経過するにしたがってインク吸収体の表面でインクが乾燥して堆積し始める。この原因としては、インク吸収体が吸収したインクが乾燥して吸収の妨げとなったり、あるいはインク吸収体がインクの溶媒（水分等）を積極的に吸収したりするためと考えられる。
【００１０】
ここで、例えば、磁気インク文字読取装置のような構造において小型化を図るため印刷ヘッドとインク吸収体との距離を小さくすると、インク吸収体に堆積したインク堆積物がシートの搬送路内に突出し易い状況となり、インク堆積物とシートとが接触してシートの端部等が汚れてしまうという懸念がある。
【００１１】
なお、上述した問題は、磁気インク文字読取装置に限って発生するものではなく、その他の読取装置、シート処理装置等に液滴噴射ヘッドを搭載して液滴噴射不良を防止しつつ装置の小型化を図ろうとする場合においても同様に発生するおそれがある。
【００１２】
本発明の目的は、液滴噴射不良を防止しつつ装置の小型化を図ることができる液滴噴射装置及びシート情報読取装置を提供することにある。
【課題を解決するための手段】
【００１３】
上記目的を達成する本発明の液滴噴射装置は、装置本体の端部に沿って形成された搬送路と、前記装置本体に設けられ且つ前記搬送路に沿ってシートを略垂直に立てた起立姿勢で搬送する搬送手段と、前記搬送路の一方側に配置され且つ前記搬送路を通過するシートに向かってノズルから液滴を噴射する液滴噴射ヘッドと、前記液滴噴射ヘッドに対向する部分で且つ前記搬送路の他方側に配置されて前記液滴噴射ヘッドからの液滴を回収する液滴回収部材とを備え、前記液滴回収部材は、有底容器形状からなり、前記装置本体に設けられた装着部に着脱自在であると共に、前記搬送路側に開口して前記液滴噴射ヘッドからの液滴を取り込むための液滴取込口と、前記液滴取込口に対向する液滴回収壁とを有することを特徴とする。また、本発明は、このような液滴噴射装置を備えたシート情報読取装置についても広く対象としている。
【発明の効果】
【００１４】
本発明によれば、液滴噴射ヘッドに対向して液滴回収部材を省スペースで配置し、且つ液滴堆積物がシートの搬送路内に突出するのを有効に防止しつつ、また液滴噴射不良を防止して装置の小型化を比較的容易に実現することができる。
【図面の簡単な説明】
【００１５】
【図１】本発明の第１の実施の形態に係る情報読取装置を説明するための概略斜視図である。
【図２】図１に示す情報読取装置の搬送路の展開図である。
【図３】銀行等の金融機関で扱われる手形等の原稿の一例を示す図である。
【図４】印字ユニット周辺の概略斜視図である。
【図５】印字ユニット周辺の一部断面図である。
【図６】インク滴回収部材の変形例を示す概略図である。
【図７】インク滴回収部材の変形例を示す概略図である。
【図８】インク滴回収部材の変形例を示す概略図である。
【図９】第１の実施の形態に係る情報読取装置の動作例について説明するためのフローチャートである。
【図１０】給送した原稿が第２搬送路の搬送路長さよりも長い場合の例を説明するための図である。
【図１１】給送した原稿が第２搬送路の搬送路長さよりも短い場合の例を説明するための図である。
【図１２】給送した次原稿が第１搬送路で停止したときの例を説明するための図である。
【図１３】図９のステップＳ１２４７における第１搬送路での原稿の停止判定処理を説明するためフローチャートである。
【図１４】図９のステップＳ１２５１における第２搬送路での原稿の停止判定処理を説明するためフローチャートである。
【図１５】ホストコンピュータの動作例を説明するためのフローチャートである。
【図１６】本発明の第２の実施の形態に係る情報読取装置の動作例について説明するためのフローチャートである。
【図１７】第２の実施の形態に係る情報読取装置の動作例を説明するための搬送路の展開図である。
【図１８】情報読取装置の動作例をさらに説明するための搬送路の展開図である。
【図１９】図１６のステップＳ１２０７における第１搬送路での原稿の停止判定処理を説明するためフローチャートである。
【図２０】図１６のステップＳ１２１０における第２搬送路での原稿の停止判定処理を説明するためフローチャートである。
【図２１】本発明の第３の実施の形態に係る原稿処理装置の一例である情報読取装置を説明するための斜視図である。
【図２２】図１６における情報読取装置の平面図である。
【図２３】図１６における情報読取装置の搬送路の展開図である。
【図２４】図２１における情報読取装置の開閉機構を説明するための平面図である。
【図２５】図２４の情報読取装置における開閉機構の枢軸位置を説明するための平面図である。
【図２６】第３の実施の形態に係る情報読取装置の動作を示すフローチャートである。
【図２７】第３の実施の形態に係る情報読取装置の動作例を説明するための搬送路の展開図である。
【図２８】情報読取装置の動作例をさらに説明するための搬送路の展開図である。
【図２９】情報読取装置の動作例をさらに説明するための搬送路の展開図である。
【図３０】図２６のステップＳ２２４７における湾曲搬送路での原稿の停止判定処理を示すフローチャートである。
【図３１】図２６のステップＳ２２５１における下流搬送路での原稿の停止判定処理を示すフローチャートである。
【発明を実施するための形態】
【００１６】
（実施形態１）
まず、本発明の第１の実施の形態について説明する。図１は本発明の第１の実施の形態
に係る情報読取装置を説明するための概略斜視図、図２は図１に示す情報読取装置の搬送路の展開図である。また、図３は、原稿の一例を示す概略平面図である。
【００１７】
図１に示すように、本実施形態に係る情報読取装置１３００は、チェックスキャナ装置の一例であって、原稿の束を立てた状態で載置する載置ユニット１１００、搬送路１１１０、第１排紙ユニット１１０２、及び第２排紙ユニット１１０３を備え、通信ケーブル１３０２等の通信ユニットを介してホストコンピュータ１３０１（情報処理装置）と通信可能に接続される。
【００１８】
ここで、本実施形態の情報読取装置１３００で読み取る原稿の一例について説明する。具体的には、図３に示す原稿は、銀行等の金融機関で扱われる手形等である。この原稿１０９０には、磁気インクによってＭＩＣＲ（Ｍａｇｎｅｔｉｃ  ｉｎｋ  Ｃｈａｒａｃｔｅｒ  Ｒｅｃｏｇｎｉｔｉｏｎ）文字１０９１が印字され、このＭＩＣＲ文字１０９１を情報読取装置（原稿処理装置）で読み取ることにより、複数の原稿を銀行別・口座別・金額別・支払日別等に分類している。そして、原稿１０９０の画像やＭＩＣＲ文字１０９１の情報を電子ファイルとして集中センタに設置されたホストコンピュータに転送し、集中センタでホストコンピュータが受信した情報を基に金額の支払処理等が行われている。
【００１９】
ところで、上述の一連の処理は、利用者から原稿を預かってから、例えば１日以内という短期間に終了させる必要があり、迅速な処理が求められる。そのため、多くの金融機関では各本店又は支店毎の原稿処理を行わず、原稿だけを専門に扱う、例えば集中センタと呼ばれる部署を設け、該集中センタにおいて高速処理可能な大型の情報読取装置を用いて大量の原稿を一括処理することがある。
【００２０】
一方、近年の通信技術の発達により、各支店毎に原稿のＭＩＣＲ文字及び画像はじめとする個別情報を読み取り、読み取った情報を電子ファイルとして集中センタに伝送し、集中センタで電子ファイルと個別情報を基に、原稿が集中センタに届く前に、金額の支払処理等を済ませようとする業務形態が取られるようになった。このような電子データを利用した処理は、例えば顧客から受け取った原稿そのものをその日のうちに集中センタに集める必要がなくなり、集中センタと各支店とにおける手形の運搬業務が減少するので、コストの削減が可能となるだけでなく、原稿の迅速処理が可能となる。
【００２１】
このような業務に対応するために、本実施形態では、原稿に表された磁気インク文字を磁気ヘッドにより読取った読取信号波形と、磁気インク文字認証用の基本波形データとを照合して文字認識を行って、原稿の迅速処理を実現している。そして、詳細は後述するが、文字認識を行った後、磁気ヘッドの下流側に配置された印刷機構により、磁気インク文字が読み取られた原稿に、電子決済済み等の印刷（予め決められた所定の印字等）を行うことができるようになっている。
【００２２】
図１に戻り、このような原稿１０９０を搬送する搬送路１１１０には、第１搬送路１１１６及び第２搬送路１１１８が配置されている。第１搬送路１１１６よりも上流には、分離ローラ１１０７と給送ローラ１１０５とのローラ対、搬送ローラ対１１０４ａ、前段のレジストセンサ１１１２、ＭＩＣＲ読取ユニット１１０６、及び読取ユニット１１０８が下流側に向けて順番に配置されている。なお、本実施形態では、給送ローラ１１０５及び分離ローラ１１０７等により本発明の給送手段（給送ユニット）を構成している。
【００２３】
第２搬送路１１１８には、搬送ローラ対１１０４ｂ、原稿有無センサ１１０９が配置され、第２搬送路１１１８よりも下流には、後段のレジストセンサ１１１３、印字ユニット１１１４及び読取ユニット１１１５が配置されている。また、情報読取装置１３００には、搬送ローラ対１１０４ａ等を駆動する不図示の第１搬送機構、及び搬送ローラ対１１０４ｂ等を駆動する不図示の第２搬送機構が配置されている。
【００２４】
なお、本実施形態では、ＭＩＣＲ読取ユニット１１０６及び読取ユニット１１０８により本発明の第１処理ユニットを構成し、印字ユニット１１１４及び読取ユニット１１１５により本発明の第２処理ユニットを構成する。また、原稿１０９０には、図３で説明したように、磁気インクによってＭＩＣＲ文字１０９１が印字されている。
【００２５】
ここで、第１搬送路１１１６は、搬送路１１００のうち、読取ユニット１１０８から第２搬送路１１１８の上流端である搬送ローラ対１１０４ｂの手前までの領域である。第１搬送路１１１６の搬送路長は、手形専用の情報読取装置が搬送する原稿の最長の長さ（ビジネスチェックの長さ２１３ｍｍ）に原稿の停止に必要な制動距離を加えた長さとする。
【００２６】
また、第２搬送路１１１８は、搬送路１１１０のうち、搬送ローラ対１１０４ｂから印字ユニット１１１４の直前にある後段レジストセンサ１１１３の手前までの領域である。第２搬送路１１１８の搬送路長は、ビジネスチェックの長さよりも短く、少なくともパーソナルチェック（又はアメリカンチェック）と呼ばれる長さ１５２ｍｍに加速距離を加えた長さとする。
【００２７】
ここで、図４及び図５を参照して、印字ユニット１１１４及びその周辺の構成について詳細に説明する。なお、図４は、印字ユニット周辺の概略斜視図であり、図５は、図４の一部断面図である。
【００２８】
図４及び図５に示すように、印字ユニット１１１４は、搬送路１１１０を挟んでその一方側に配置されてノズルからインク滴を吐出するインクジェット式記録ヘッド（以下記録ヘッドともいう）１０と、この記憶ヘッド１０に対向して搬送路１１１０の他方側に配置されてインク滴を回収するインク滴回収部材２０とを有する。
【００２９】
ここで、記録ヘッド１０は、原稿１０９０に対してインク滴を吐出する印刷処理（印字処理）と、原稿１０９０が対向して存在しないタイミングでインク滴回収部材２０に向けてインク滴を吐出する予備吐出処理とを実行可能である。この記録ヘッド１０の予備突出処理によって記録ヘッド１０のインク滴吐出を最適な状態（即ち、例えば、ノズル状態が最適な状態）に保つことができ、インク吐出不良を防ぐことができる。そして、装置のインク汚れ等を防ぐためには、記録ヘッド１０に対向する位置においてインク滴回収部材２０が必要となる。
【００３０】
このようなインク滴回収部材２０は、本実施形態では、記録ヘッド１０からのインク滴を回収する有底容器形状で形成された部材からなる。また、このようなインク滴回収部材２０は、上述した情報読取装置１３００の本体に形成された装着部（図示しない）に着脱自在に設けられる。
【００３１】
さらに、インク滴回収部材２０は、情報読取装置１３００の本体（具体的には装着部）に装着した状態で、搬送路１１００側に開口して記録ヘッド１０からのインク滴を取り込むためのインク滴取込口２１と、このインク滴取込口２１に対向するインク滴回収壁２２とを有する。具体的には、インク滴回収部材２０は、上端部が開口しており、当該上端部からスリット状に底部２０ａ側に向かって切り欠かれることでインク滴取込口２１が設けられている。なお、このインク滴取込口２１は、インク滴回収部材２０の底部２０ａに達する少し手前まで設けられている。即ち、インク滴回収部材２０は、底部２０ａ側において外周が壁に囲まれた容器部を構成している。
【００３２】
また、インク滴取込口２１は、記録ヘッド１０のノズルが複数配列された領域を含むインク滴吐出領域１０ａよりも大きく且つインク滴回収壁２２よりも小さい開口形状からなる。即ち、インク滴取込口２１は、間口がインク滴を最低限取り込める程度に極力小さく設けられている。これにより、インク滴回収部材２０内に取り込んだインク滴がインク滴回収壁２２に衝突したその反動によって、インク滴取込口２１からインク滴回収部材２０の外側に飛散することを有効に防ぐことができる。
【００３３】
また、インク滴回収壁２２は、本実施形態では、記録ヘッド１０のインク吐出面と略平行に設けられた垂直壁として設けられている。これにより、このインク滴回収壁２２に衝突したインク滴は、壁面に付着すると共に自重によってインク滴回収部材２０の底側に向かって流れ落ちることになる。このため、インク滴が多少堆積したとしても、インク滴回収壁２２とインク滴取込口２１との間の寸法をある程度確保できれば、原稿１０９０の搬送路１１００に突出することを有効に防止することができる。即ち、本実施形態では、従来技術のようなインク吸収体を必要とせず、部品点数を少なくしつつ、比較的簡単な構造で、情報読取装置１３００を小型化できて、しかも大量のインク滴を回収することができ、原稿１０９０がインクで汚れることを有効に防ぐことができる。
【００３４】
特に、本実施形態のように、インク滴回収部材２０が情報読取装置１３００の端部、具体的には、搬送路１１００の外側に配置されているので、情報読取装置１３００の幅寸法を小さくすることができる。記録ヘッド１０を小型化することよりも、インク滴回収部材２０の構造の方が簡略化し易く、情報読取装置１３００の幅寸法を効果的に小さくすることができる。
【００３５】
なお、上述したようにインク滴回収壁２２は、インク滴を受け、底部２０ａ側にインクを流す役割を担うことから、そのような壁面は、撥水処理が施された撥水面とするのが好ましい。これにより、インク滴の堆積量が実質的に緩和され、より大量のインク滴を回収することができる。撥水処理としては、例えば、フッ素樹脂等で被膜を形成してもよいし、フッ素樹脂テープを貼り付けて形成してもよいが、材料等についてはインクの種類等によって適宜調整すればよい。また、このような撥水処理は、インク滴回収壁２２だけでなく、インク滴回収部材２０の内面の最適な領域又は全面に適宜施すことができる。
【００３６】
また、本実施形態では、記録ヘッド１０を上下方向に可動式としている。記録ヘッド１０の移動機構は特に限定されないが、レバー等で手動により行うようにしてもよいし、モータ等で自動的に移動するようにしてもよい。このため、記録ヘッド１０のインク滴吐出領域１０ａが記録ヘッド１０自体の上下動に伴って動くため、印字領域を変えることができるようになっている。したがって、本実施形態では、上述したインク滴取込口２１を、記録ヘッド１０の可動範囲に対応して所定の寸法で形成している。このように記録ヘッド１０を可動式とすることにより、インク滴の堆積エリアを分散させることができる他、ユーザが原稿１０９０への印字領域を適宜変更したりすることができ、印字領域を変更してもインク滴回収部材２０を交換しなくてもよく経済的である。
【００３７】
なお、ここで、図６，図７及び図８を参照して、上述したインク滴回収部材２０の変形例について説明する。図６〜図８は、インク滴回収部材の変形例を示す概略図である。
【００３８】
図６に示すように、インク滴回収部材２０において、インク滴回収部材２０の底部２０ａ側にインク吸収体３０を配置してもよい。これにより、インク滴回収壁２２を流れ落ちるインクをインク吸収体３０によって確実に回収することができる。インク吸収体３０は、少なくともインク滴回収壁２２側に当接させておくことがインクを直ぐに回収できる点で好ましい。なお、このような構成の場合には、インク滴回収壁２２の壁面を撥水処理しておくことでインク吸収体３０によるインクの回収効率をさらに高めることができる。いずれにしても、インク滴をインク吸収体３０によって直接受け止めることがないため、インク吸収体３０上でインクが堆積しても問題がない。
【００３９】
また、図７に示すように、インク滴回収部材２０Ａにおいて、インク滴回収部材２０Ａの底面２０ａとインク滴回収壁２２ａの壁面とのなす角を鋭角としてもよい。これにより、インクはインク滴回収壁２２ａに沿って流れ落ち易くなり、またインク滴の堆積物も底面２０ａ側に落下し易くなるため、インクの堆積物が搬送路側に飛び出したり原稿を汚したりすることを防ぐことができる。
【００４０】
さらに、図８に示すように、インク滴回収部材２０Ｂにおいて、その内部空間（各壁によって画成された空間）Ｘがインク液滴取込口２１からインク滴回収壁２２に向かって拡開するようにインク滴回収壁２２の両端側の側壁２３をテーパ状に配置してもよい。これにより、インク滴回収部材２０Ｂ内に一旦取り込んだインク滴、あるいはインク滴回収壁２２に衝突することで生成するインクミスト等のインク成分を側壁２３に付着させて回収することにより、インク滴取込口２１から搬送路側に飛散することを有効に防ぐことができる。特に、原稿が印字位置を通過する際の風圧差で、インク滴回収部材２０Ｂ内のインクが搬送路に吸い出されず、より確実にインク滴回収部材２０Ｂ内でインク回収を行うことができる。したがって、インクで原稿が汚れてしまうことを有効に防止することができる。
【００４１】
次に、図９〜図１４を参照して、本実施形態に係る情報読取装置１３００の動作例について説明する。図９での各処理は、情報読取装置１３００の不図示のＲＯＭやハードディスク等に記憶された制御プログラムが不図示のＲＡＭにロードされて、不図示のＣＰＵ（以下、ＣＰＵ１３００Ａという）により実行される。
【００４２】
図９において、ステップＳ１２４１では、ＣＰＵ１３００Ａは、ホストコンピュータ１３０１から通信ケーブル１３０２を介して読取処理の開始指示を受信すると、不図示の原稿検知センサを介して載置ユニット１１００に原稿１０９０が載置されているか否かを判断する。
【００４３】
そして、ＣＰＵ１３００Ａは、載置ユニット１１００に原稿１０９０が載置されている場合は、ステップＳ１２４２に進む。
【００４４】
ステップＳ１２４２では、ＣＰＵ１３００Ａは、載置ユニット１１００から給送を始める原稿１０９０の給送開始が可能であるか否かを判定し、給送可能である場合は、ステップＳ１２４３に進む。
【００４５】
ここで、ＣＰＵ１３００Ａが原稿１０９０の給送開始が可能であると判定を行う場合は、給送しようとしている原稿が次の３つの条件のいずれかを満たしているときである。
【００４６】
（１）給送しようとしている原稿が１枚目の原稿であること。給送しようとしている原稿が、１枚目であれば、第１搬送路１１１６、第２搬送路１１１８中に原稿が存在していないので原稿１０９０を給送しても他原稿と衝突することは無い。
【００４７】
（２）給送しようとしている原稿が２枚目の原稿であり、且つ１枚目の原稿のサイズが第２搬送路１１１８の長さよりも短い原稿であること。原稿のサイズは、原稿１０９０の搬送速度をｖ、前段のレジストセンサ１１１２を原稿先端が通過してから原稿後端が通過するまでの時間をｔとすれば、ｖｔとして検出することができる。
【００４８】
給送しようとしている原稿が２枚目の場合、１枚先行した原稿（１枚目の原稿）に対する印字情報及び振分先判定結果をホストコンピュータ１３０１から受信していないと、１枚目の原稿を第２搬送路１１１８まで搬送した後、停止させなければならない。
【００４９】
ここで、１枚目の原稿１０９０ａがパーソナルチェックよりも長い原稿の場合、１枚目の原稿１０９０ａが第２搬送路１１１８で停止した状態のとき、図１０に示すように、原稿後端が第１搬送路１１１６内にあり、新たに原稿を給送すると衝突するおそれがあるので給送を不可とする。しかし、図１１に示すように、１枚目の原稿１０９０ａがパーソナルチェックよりも短い場合は、新たに原稿１０９０ｂを給送しても１枚目の原稿１０９０ａに衝突することはなく、図１２に示すように、新たな原稿１０９０ｂを第１搬送路１１１６で停止させることができる。
【００５０】
（３）３枚目以降の原稿で、２枚先行した原稿に対するホストコンピュータ１３０１からの印字情報及び振分先の判定結果を受信済で印字ユニット１１１４及び読取ユニット１１１５での処理を開始でき、且つ１枚先行した原稿の長さが第２搬送路１１１８の長さよりも短いこと。
【００５１】
給送しようとしている原稿が、３枚目以降の場合、２枚先行した原稿に対する印字情報及び振分先の判定結果をホストコンピュータ１３０１から受信していないと、２枚先行した原稿を第２搬送路１１１８まで搬送させた後、停止させなければならない。
【００５２】
そして、たとえ２枚先行した原稿がパーソナルチェックよりも短く、１枚先行した原稿を給送できたとしても、１枚先行した原稿を第１搬送路１１１６まで搬送した後、停止させなければならない。このため、更に原稿を給送した場合は、給送した原稿が１枚先行した原稿に衝突するおそれがある。
【００５３】
その為、原稿を給送するには、２枚先行した原稿に対する印字情報及び振分先の判定結果をホストコンピュータ１３０１から受信済で印字ユニット１１１４及び読取ユニット１１１５での処理を開始できていなければならない。また、１枚先行した原稿の長さも第２搬送路１１１８の長さより短くないと、第１搬送路１１１６にはみ出して停止する可能性もある。
【００５４】
ＣＰＵ１３００Ａは、上記（１）〜（３）のいずれかの条件を満たすことによって、載置ユニット１１００に載置された原稿１０９０に対して給送開始が可能であると判定する。
【００５５】
これにより、１枚先行した原稿の印字情報及び振分先の判定結果をホストコンピュータ１３０１から受信していないとしても、給送した原稿に対してはＭＩＣＲ読取ユニット１１０６及び読取ユニット１１０８での処理を先行して行うことができる。
【００５６】
ステップＳ１２４３では、ＣＰＵ１３００Ａは、載置ユニット１１００に載置された原稿１０９０を分離ローラ１１０７で一枚ずつ分離しながら給送ローラ１１０５により第１搬送路１１１６に給送し、ステップＳ１２４４に進む。なお、以降の説明では、原稿１０９０を図１１の原稿１０９０ｂとする。
【００５７】
ステップＳ１２４４では、ＣＰＵ１３００Ａは、ＭＩＣＲ読取ユニット１１０６により第１搬送機構が搬送している原稿１０９０ｂに印字されているＭＩＣＲ文字１０９１を読み取り、ステップＳ１２４５に進む。
【００５８】
ここで、前段レジストセンサ１１１２とＭＩＣＲ読取ユニット１１０６間の距離をＬ１、原稿１０９０ｂの搬送速度をｖとすると、Ｌ１／ｖ後に原稿１０９０ｂがＭＩＣＲ読取ユニット１１０６に到達する。従って、ＣＰＵ１３００Ａは、不図示のタイマを用いて時間を測定し、原稿１０９０ｂの先端が前段レジストセンサ１１１２を通過した時間からＬ１／ｖ経過後に、ＭＩＣＲ読取ユニット１１０６により原稿１０９０ｂのＭＩＣＲ文字１０９１の読取を行う。
【００５９】
ステップＳ１２４５では、ＣＰＵ１３００Ａは、読取ユニット１１０８により原稿１０９０ｂの表面の画像を読み取り、ステップＳ１２４６に進む。
【００６０】
ここで、前段レジストセンサ１１１２と読取ユニット１１０８間の距離をＬ２、原稿１０９０ｂの搬送速度をｖとすると、Ｌ２／ｖ後に原稿１０９０ｂは読取ユニット１１０８に到達する。従って、ＣＰＵ１３００Ａは、不図示のタイマを用いて時間を測定し、原稿１０９０ｂの先端が前段レジストセンサ１１１２を通過した時間からＬ２／ｖ経過後に読取ユニット１１０８により原稿１０９０ｂの表面の画像の読み取りを開始する。
【００６１】
ステップＳ１２４６では、ＣＰＵ１３００Ａは、読み取った原稿１０９０ｂのＭＩＣＲ情報と原稿１０９０ｂの表面の画像情報を、通信ケーブル１３０２を介してホストコンピュータ１３０１へ転送し、ステップＳ１２４７に進む。
【００６２】
ステップＳ１２４７では、ＣＰＵ１３００Ａは、第１搬送路１１１６での原稿１０９０ｂの停止判定処理を行い、ステップＳ１２４８に進む。
【００６３】
図１３は、図９のステップＳ１２４７における第１搬送路１１１６での原稿１０９０ｂの停止判定処理を説明するためフローチャート図である。
【００６４】
図１３において、ステップＳ１２７１では、ＣＰＵ１３００Ａは、１枚先行して搬送した原稿１０９０ａの印字情報及び原稿１０９０ａの振分先の判定結果（振分指示）をホストコンピュータ１３０１から受信したかどうか判断する。
【００６５】
ここでの原稿１０９０ａの印字情報及び原稿１０９０ａの振分先の判定結果（制御情報）は、ステップＳ１２４６で、ホストコンピュータ１３０１に転送された１枚先行した原稿１０９０ａのＭＩＣＲ情報と表面の画像情報を基に、ホストコンピュータ１３０１により生成される。
【００６６】
ＣＰＵ１３００Ａは、１枚先行した原稿１０９０ａの印字情報及び振分先判定結果をホストコンピュータ１３０１から受信していた場合或いは原稿１０９０ｂが１枚目であった場合は、原稿１０９０ｂを停止させることなく、第１搬送路１１１６での原稿１０９０ｂの停止判定処理を終了する。
【００６７】
一方、ＣＰＵ１３００Ａは、１枚先行した原稿１０９０ａに対する印字情報及び振分先の判定結果をホストコンピュータ１３０１から受信していない場合、ステップＳ１２７３に進む。
【００６８】
ステップＳ１２７３では、ＣＰＵ１３００Ａは、第１搬送機構により搬送されている原稿１０９０ｂが第１搬送路１１１６の停止位置に到達するまで、ホストコンピュータ１３０１から１枚先行した原稿１０９０ａに対する印字情報及び振分先の判定結果を受信したか否かを監視する。
【００６９】
ここで、前段レジストセンサ１１１２と第１搬送路１１１６の停止位置間の距離をＬ３、原稿１０９０の搬送速度をｖとすると、Ｌ３／ｖ後に原稿１０９０ｂが第１搬送路１１１６の停止位置に到達する。従って、ＣＰＵ１３００Ａは、不図示のタイマを用いて時間を測定し、原稿１０９０の先端が前段レジストセンサ１１１２を通過した時間からＬ３／ｖ経過後に原稿１０９０ｂが第１搬送路１１１６の停止位置に到達したと判断する。なお、ここでは第１搬送路１１１６の停止位置は、搬送ローラ対１１０４ｂの直前に設定する。
【００７０】
そして、ＣＰＵ１３００Ａは、原稿１０９０ｂが第１搬送路１１１６の停止位置に到達してもホストコンピュータ１３０１から１枚手前の原稿１０９０ａの印字情報及び振分先の判定結果を受信していない場合は、ステップＳ１２７４に進む。
【００７１】
ステップＳ１２７４では、ＣＰＵ１３００Ａは、原稿１０９０ａを第２搬送路１１１８で停止させているか、又は停止させることになるため、原稿１０９０ｂを第１搬送路１１１６で停止させるように第１搬送機構を制御し、ステップＳ１２７５に進む。
【００７２】
ステップＳ１２７５では、ＣＰＵ１３００Ａは、ホストコンピュータ１３０１から１枚先行した原稿１０９０ａの印字情報及び振分先の判定結果（振分指示）を受信するまで待機し、受信した場合は、ステップＳ１２７６に進む。
【００７３】
ステップＳ１２７６では、ＣＰＵ１３００Ａは、原稿１０９０ｂの搬送を再開してもよいか否かを判断し、原稿１０９０ｂの搬送を再開してもよい場合は、ステップＳ１２７７に進む。
【００７４】
ステップＳ１２７６において、ＣＰＵ１３００Ａは、第２搬送路１１１８に原稿１０９０ａが無い場合、又は１枚先行した原稿１０９０ａの第２搬送機構による搬送が再開され、原稿１０９０ｂを搬送させても原稿１０９０ａに衝突しない場合に、第１搬送機構による原稿１０９０ｂの搬送を再開してもよいと判断する。
【００７５】
ステップＳ１２７７では、ＣＰＵ１３００Ａは、第１搬送機構による原稿１０９０ｂの搬送を再開し、第１搬送路１１１６での原稿１０９０ｂの停止判定処理を終了する。
【００７６】
図９に戻って、ステップＳ１２４８ではＣＰＵ１３００Ａは、搬送した原稿１０９０ｂの長さとパーソナルチェックのサイズと比較する。
【００７７】
ここで、原稿１０９０ｂの長さは、原稿１０９０の搬送速度をｖ、前段レジストセンサ１１１２を原稿先端が通過してから原稿後端が通過するまでの時間をｔとすると、ｖｔとして算出できる。
【００７８】
そして、ＣＰＵ１３００Ａは、搬送した原稿１０９０ｂの長さがパーソナルチェックのサイズ以下の場合は、ステップＳ１２４９に進み、搬送した原稿１０９０ｂの長さがパーソナルチェックのサイズを超える場合は、ステップＳ１２４９をスキップしてステップＳ１２５０に進む。
【００７９】
ステップＳ１２４９では、ＣＰＵ１３００Ａは、次原稿の給送を許可し、ステップＳ１２５０に進む。
【００８０】
ここで、載置ユニット１１００から次原稿が搬送路１１１０に給送されたとき、給送された次原稿についてステップＳ１２４１からの処理が開始される。また、ＣＰＵ１３００Ａは、原稿１０９０ｂの長さがパーソナルチェックのサイズを超える場合は、次原稿の給送の許可を行わない。
【００８１】
ステップＳ１２５０では、ＣＰＵ１３００Ａは、原稿１０９０ｂを第２搬送路１１１８へ搬送し、ステップＳ１２５１に進む。
【００８２】
ステップＳ１２５１では、ＣＰＵ１３００Ａは、原稿１０９０ｂを第２搬送機構により搬送しながら第２搬送路１１１８での原稿１０９０ｂの停止判定処理を行い、ステップＳ１２５２に進む。
【００８３】
図１４は、図９のステップＳ１２５１における第２搬送路１１１８での原稿１０９０ｂの停止判定処理を説明するためフローチャート図である。
【００８４】
図１４において、ステップＳ１２８１では、ＣＰＵ１３００Ａは、原稿１０９０ｂの印字情報及び原稿１０９０ｂの振分先の判定結果をホストコンピュータ１３０１から受信したかどうか判断する。
【００８５】
ここでの原稿１０９０ｂの印字情報及び原稿１０９０ｂの振分先の判定結果は、ステップＳ１２４６で、ホストコンピュータ１３０１に転送された原稿１０９０ｂのＭＩＣＲ情報と表面の画像情報の少なくとも一方の情報を基に、ホストコンピュータ１３０１により生成される。
【００８６】
そして、ＣＰＵ１３００Ａは、原稿１０９０ｂの印字情報及び振分先の判定結果（振分指示）をホストコンピュータ１３０１から受信していた場合は、原稿１０９０ｂを停止させることなく、第２搬送路１１１８での原稿１０９０ｂの停止判定処理を終了する。
【００８７】
一方、ＣＰＵ１３００Ａは、原稿１０９０ｂに対する印字情報及び振分先の判定結果をホストコンピュータ１３０１から受信していない場合、ステップＳ１２８３に進む。
【００８８】
ステップＳ１２８３では、ＣＰＵ１３００Ａは、第２搬送機構により原稿１０９０ｂが第２搬送路１１１８の停止位置に到達するまで搬送を続けながら、ホストコンピュータ１３０１から原稿１０９０ｂに対する印字情報及び振分先の判定結果を受信したか否かを監視する。ここでは、第２搬送路１１１８の停止位置は、印字ユニット１１１４の直前にある後段レジストセンサ１１１３の手前とする。
【００８９】
ここで、原稿有無センサ１１０９と第２搬送路１１１８の停止位置間の距離をＬ４、原稿１０９０ｂの搬送速度をｖとすると、Ｌ４／ｖ後に原稿１０９０ｂが第２搬送路１１１８の停止位置に到達する。従って、ＣＰＵ１３００Ａは、不図示のタイマを用いて時間を測定し、原稿有無センサ１１０９を原稿１０９０ｂの先端が通過した時間からＬ４／ｖ経過後に原稿１０９０ｂが第２搬送路１１１８の停止位置に到達したと判断する。
【００９０】
そして、ＣＰＵ１３００Ａは、原稿１０９０ｂが第２搬送路１１１８の停止位置に到達してもホストコンピュータ１３０１から原稿１０９０ｂの印字情報及び振分先の判定結果を受信していない場合は、ステップＳ１２８４に進む。
【００９１】
ステップＳ１２８４では、ＣＰＵ１３００Ａは、原稿１０９０ｂを第２搬送路１１１８で停止させ、その後、ステップＳ１２８５に進む。
【００９２】
ステップＳ１２８５では、ＣＰＵ１３００Ａは、ホストコンピュータ１３０１から原稿１０９０ｂの印字情報及び振分先の判定結果（振分指示）を受信するまで待機し、受信した場合は、ステップＳ１２８６に進む。
【００９３】
ステップＳ１２８６では、ＣＰＵ１３００Ａは、第２搬送機構による原稿１０９０ｂの搬送を再開し、第２搬送路１１１８での原稿１０９０ｂの停止判定処理を終了する。
【００９４】
図９に戻って、ステップＳ１２５２では、ＣＰＵ１３００Ａは、原稿１０９０ｂを第２搬送路１１１８よりも下流側に搬送し、原稿１０９０ｂの先端が後段レジストセンサ１１１３を通過するのを検知して、ステップＳ１２５３に進む。
【００９５】
ステップＳ１２５３では、ＣＰＵ１３００Ａは、原稿１０９０ｂが第２搬送路１１１８から更に下流に搬送され、また、次原稿が第１搬送路１１１６から第２搬送路１１１８へ搬送されるので、載置ユニット１１００に載置されている原稿の給送を許可し、ステップＳ１２５４に進む。
【００９６】
ここで、載置ユニット１１００から原稿が給送されたとき、給送された原稿について、ステップＳ１２４１からの処理が開始される。
【００９７】
ステップＳ１２５４では、ＣＰＵ１３００Ａは、印字ユニット１１１４により原稿１０９０ｂに対してホストコンピュータ１３０１から受信した印字情報の印字を行い、ステップＳ１２５５に進む。
【００９８】
ここで、後段レジストセンサ１１１３と印字ユニット１１１４間の距離をＬ５、原稿１０９０ｂの搬送速度をｖとすると、Ｌ５／ｖ後に原稿１０９０ｂが印字ユニット１１１４に到達する。従って、ＣＰＵ１３００Ａは、不図示のタイマを用いて時間を測定し、原稿１０９０ｂの先端が後段レジストセンサ１１１３が通過した時間からＬ５／ｖ経過後に、印字ユニット１１１４によりホストコンピュータ１３０１から受信した印字情報の印字を原稿１０９０ｂの裏面（磁気インク文字が印字された表面面とは反対側の面）に対して行う。なお、このような印字動作の前後、即ち、原稿が印字ユニットに対向する領域に存在していない時点で、ノズルからインク滴の予備吐出動作を行う。本実施形態では、通常読取モードにおいて、ステップＳ１２４２で給送開始できる状態になった後で実際に原稿の給送を開始する前に、印字ユニット１１１４でインク滴の予備吐出を実行する。
【００９９】
ここで、予備吐出のタイミングは、上記の通常読取モードに限定されず、原稿にインクが付着しないタイミングであればよい。また、原稿を高速搬送する場合には、原稿の給送タイミングと連動、即ち、原稿給送開始の直前等で予備吐出を行うことができる。さらに、
例えば、読取待機モード（又はスリープモード）の場合には、省電力モードに移行していることから、印字ユニット１１１４に駆動電力を再供給して駆動可能するまでの時間がある程度必要となることがある。このため、印字ユニット１１１４が駆動可能な状態となった後に給送開始することが望ましいが、例えば、本実施形態では、第１搬送路１１１６又は第２搬送路１１１７で原稿の搬送を停止可能な構成であることから、少しでも前に原稿を搬送することが可能となる。即ち、印字ユニット１１１４が駆動可能な状態となるまで待つことなく、例えば、印字ユニット１１１４の手前、即ち、第１搬送路１１１６又は第２搬送路１１１７まで段階的に給送することができる。これにより、印字ユニット１１１４が駆動可能な状態となるまで給送を止めておく場合と比べて、少しでも原稿を前に送って磁気インク文字等の読取処理をできる限り行っておくことにより、全体の読取効率を向上することができる。
【０１００】
なお、第２搬送路１１１７まで給送しても印字ユニット１１１４が駆動可能な状態となっていない場合には、第２搬送路１１１７で原稿を待機させ、印字ユニット１１１４が駆動可能な状態となった後、第２搬送路１１１７から原稿の搬送を再開（ステップＳ１２５２を実行）することにより、原稿に高品質な印字を行うことができる。
【０１０１】
勿論、このように第２搬送路１１１７まで原稿を搬送した場合には、第２搬送路１１１７内で原稿（先行原稿）を待機させているか否かにかかわらず、第１搬送路１１１６まで原稿（後続原稿）を搬送しておくことにより、全体の読取効率を向上することができる。
【０１０２】
このように印字ユニット１１１４が印字動作を実行できない間であっても原稿を印字エリア近くまで搬送制御することは、上述した読取待機モードに限定されず、例えば、記録ヘッドのインクタンク交換又は記録ヘッド自体の交換時においても適用することができる。このような新しい記録ヘッドにおいては、予備吐出におけるインク滴の吐出回数やインク吐出量は通常の予備吐出よりも多めに行う必要があり、予備吐出開始からその完了までにある程度の時間を要するためである。このようにインク交換作業後の予備吐出処理においても、本実施形態によれば、原稿を少しでも前に送りながら確実にインクの予備吐出を実行することができる構成であるため、インク吐出不良を防ぎつつ全体の読取効率を向上することができる。
【０１０３】
ステップＳ１２５５では、ＣＰＵ１３００Ａは、読取ユニット１１１５により原稿１０９０ｂの裏面の画像を読み取り、読み取った裏面画像情報を、通信ケーブル１３０２を介してホストコンピュータ１３０１に送信し、ステップＳ１２５６に進む。
【０１０４】
ここで、後段レジストセンサ１１１３と読取ユニット１１１５間の距離をＬ６とすると、Ｌ６／ｖ後に原稿１０９０ｂは、読取ユニット１１１５に到達する。従って、ＣＰＵ１３００Ａは、不図示のタイマを用いて時間を測定し、原稿１０９０ｂの先端が後段レジストセンサ１１１３を通過した時間からＬ６／ｖ経過後に読取ユニット１１１５による原稿１０９０ｂの裏面画像の読み取りを開始する。
【０１０５】
ステップＳ１２５６では、ＣＰＵ１３００Ａは、ホストコンピュータ１３０１から受信した原稿１０９０ｂの振分先の判定結果に基づいて、原稿１０９０ｂを第１排紙ユニット１１０２若しくは第２排紙ユニット１１０３へ振分けて搬送し、処理を終了する。
【０１０６】
次に、図１５を参照して、ホストコンピュータ１３０１の動作例について説明する。図１５の処理は、ホストコンピュータ１３０１の不図示のＲＯＭやハードディスク等に記憶された制御プログラムが不図示のＲＡＭにロードされて、不図示のＣＰＵ（以下、ＣＰＵ１３０１Ａとする）により実行される。
【０１０７】
図１５において、ステップＳ１４０１では、ＣＰＵ１３０１Ａは、情報読取装置１３００に対して読取指示を行い、ステップＳ１４０２に進む。
【０１０８】
ステップＳ１４０２では、ＣＰＵ１３０１Ａは、情報読取装置１３００からＭＩＣＲ情報を取得するまで待機し、取得した場合は、ステップＳ１４０３に進む。
【０１０９】
ステップＳ１４０３では、ＣＰＵ１３０１Ａは、情報読取装置１３００から原稿１０９０ｂの表面の画像情報を取得したかを判断し、取得した場合は、ステップＳ１４０４に進む。
【０１１０】
ステップＳ１４０４では、ＣＰＵ１３０１Ａは、取得したＭＩＣＲ情報及び表画の画像情報を基に原稿１０９０ｂの処理が行われた事を示す為に原稿１０９０ｂの裏面に印字される印字情報を生成し、ステップＳ１４０５に進む。
【０１１１】
ステップＳ１４０５では、ＣＰＵ１３０１Ａは、ステップＳ１４０４で生成した印字情報を、ケーブル１３０２を介して情報読取装置１３００に転送し、ステップＳ１４０６に進む。
【０１１２】
ステップＳ１４０６では、ＣＰＵ１３０１Ａは、取得したＭＩＣＲ情報及び表画の画像情報を基に原稿１０９０ｂの排紙先の判定を行い、ステップＳ１４０７に進む。
【０１１３】
ステップＳ１４０７では、ＣＰＵ１３０１Ａは、ステップＳ１４０６での原稿１０９０ｂの排紙先の判定結果（振分指示）を、通信ケーブル１３０２を介して情報読取装置１３００に転送し、ステップＳ１４０８に進む。
【０１１４】
ステップＳ１４０８では、ＣＰＵ１３０１Ａは、情報読取装置１３００から原稿１０９０ｂの裏面の画像情報を取得するまで待機し、取得した場合は、ステップＳ１４０９に進む。
【０１１５】
ステップＳ１４０９では、ＣＰＵ１３０１Ａは、原稿１０９０ｂが最終原稿か否か判断し、最終原稿でなければ、次原稿の処理を引き続き行うためにステップＳ１４０２に戻り、原稿１０９０ｂが最終原稿である場合は、本処理を終了する。
【０１１６】
以上説明したように、本実施形態では、ＭＩＣＲ読取ユニット１１０６及び読取ユニット１１０８を原稿後端が通過した後、情報読取装置１３００は、ホストコンピュータ１３０１から転送される情報を受信することなく、載置ユニット１１００から次原稿の給送を開始することが可能となる。これにより、原稿の処理能力、特に原稿の処理速度を大幅に高めることができる。
【０１１７】
また、本実施形態では、第１搬送路１１１６の読取ユニット１１０８から第２搬送路１１１８の始点である搬送ローラ１１０４までの搬送路長は最大サイズの原稿の１枚分以上あるため、ホストコンピュータ１３０１の処理時間を多く確保することができる。これにより、搬送路１１１０で原稿が停止する頻度を低く抑えることができ、結果として原稿の処理速度を高めることが可能となる。
【０１１８】
（実施形態２）
次に、図１６〜図２０を参照して、本発明の第２の実施の形態に係る情報読取装置について説明する。なお、上記第１の実施の形態に対して重複又は相当する部分については、図及び符号を流用して説明する。また、ホストコンピュータ１３０１の動作については、上記第１の実施の形態（図１５）と同様であるのでその説明を省略するまた、印字領域におけるインク滴回収の構造、予備吐出のタイミング等は上述した実施形態１と同様にすることが可能であるから、その説明は省略する。
【０１１９】
本実施形態では、図１７、図１８に示すように、第２搬送路１１１８の搬送ローラ対１１０４ｂから印字ユニット１１１４の直前にある後段レジストセンサ１１１３までの搬送路長は、手形専用の情報読取装置が搬送する原稿の最長の長さ（ビジネスチェックの長さ２１３ｍｍ）以上とする。
【０１２０】
図１６は、本実施形態に係る情報読取装置１３００の動作例を説明するためのフローチャートである。図１６の処理は、情報読取装置１３００の不図示のＲＯＭやハードディスク等に記憶された制御プログラムが不図示のＲＡＭにロードされて、不図示のＣＰＵ（以下、ＣＰＵ１３００Ａという）により実行される。
【０１２１】
図１６において、ステップＳ１２０１では、ＣＰＵ１３００Ａは、ホストコンピュータ１３０１から通信ケーブル１３０２を介して読取処理の開始指示を受信すると、不図示の原稿検知センサを介して載置ユニット１１００に原稿１０９０が載置されているか否かを判断する。
【０１２２】
そして、ＣＰＵ１３００Ａは、載置ユニット１１００に原稿１０９０が載置されている場合は、ステップＳ１２０２に進む。
【０１２３】
ステップＳ１２０２では、ＣＰＵ１３００Ａは、載置ユニット１１００から給送を始める原稿１０９０に対して給送開始が可能であるか否かを判定し、給送可能である場合は、ステップＳ１２０３に進む。
【０１２４】
ここで、ステップＳ１２０２での判定は、給送しようとする原稿が１枚目か２枚目である場合、若しくは既に給送された２枚先行した原稿の印字情報及び振分先の判定結果をホストコンピュータ１３０１から受信している場合に、給送開始が可能であると判定される。
【０１２５】
これは、給送しようとしている原稿が１枚目であれば、第１搬送路１１１６、第２搬送路１１１８に原稿が存在していないので原稿１０９０を給送しても他原稿と衝突することは無い為である。
【０１２６】
また、給送しようとしている原稿が２枚目である場合、１枚目の原稿の印字情報及び振分先の判定結果をホストコンピュータ１３０１から受信していなくても、１枚目の原稿は第２搬送路１１１８まで搬送されて停止されても第１搬送路１１１６にはみ出すことはない。従って、第１搬送路１１１６は空いており、給送した２枚目の原稿を第１搬送路１１１６で停止させることができるためである。
【０１２７】
更に、搬送された２枚先行した原稿の印字情報及び振分先の判定結果を既にホストコンピュータ１３０１から受信している場合は、情報読取装置１３００は、第２搬送路１１１８で２枚先行した原稿の搬送を開始することができる。
【０１２８】
従って、第１搬送路１１１６にある１枚先行した原稿も第２搬送路１１１８へ搬送できるので、第１搬送路１１１６が空くことから、１枚先行した原稿の印字情報及び振分先の判定結果を受信していなくとも、給送した原稿を第１搬送路１１１６で停止させることができる。
【０１２９】
上記条件のいずれかを満たすことにより、１枚先行した原稿の印字情報及び振分先の判定結果をホストコンピュータ１３０１から受信しなかったとしても、給送した原稿に対してはＭＩＣＲ読取ユニット１１０６及び読取ユニット１１０８での処理を先行して行うことができる。
【０１３０】
ステップＳ１２０３では、ＣＰＵ１３００Ａは、載置ユニット１１００に載置された原稿１０９０を分離ローラ１１０７で一枚ずつ分離しながら給送ローラ１１０５により第１搬送路１１１６に給送し、ステップＳ１２０４に進む（図１７）。なお、以降の説明では、原稿１０９０を図１７の原稿１０９０ｂとする。
【０１３１】
ステップＳ１２０４では、ＣＰＵ１３００Ａは、ＭＩＣＲ読取ユニット１１０６により原稿１０９０ｂに印字されているＭＩＣＲ文字１０９１を読み取り、ステップＳ１２０５に進む。
【０１３２】
ここで、前段レジストセンサ１１１２とＭＩＣＲ読取ユニット１１０６間の距離をＬ１、原稿１０９０ｂの搬送速度をｖとすると、Ｌ１／ｖ後に原稿１０９０ｂがＭＩＣＲ読取ユニット１１０６に到達する。従って、ＣＰＵ１３００Ａは、不図示のタイマを用いて時間を測定し、原稿１０９０ｂの先端が前段レジストセンサ１１１２を通過した時間からＬ１／ｖ経過後に、ＭＩＣＲ読取ユニット１１０６により原稿１０９０ｂのＭＩＣＲ文字１０９１の読み取りを行う。
【０１３３】
ステップＳ１２０５では、ＣＰＵ１３００Ａは、読取ユニット１１０８により原稿１０９０ｂの表面の画像を読み取り、ステップＳ１２０６に進む。
【０１３４】
ここで、前段レジストセンサ１１１２と読取ユニット１１０８間の距離をＬ２、原稿１０９０ｂの搬送速度をｖとすると、Ｌ２／ｖ後に原稿１０９０ｂは読取ユニット１１０８に到達する。従って、ＣＰＵ１３００Ａは、不図示のタイマを用いて時間を測定し、原稿１０９０ｂの先端が前段レジストセンサ１１１２を通過した時間からＬ２／ｖ経過後に読取ユニット１１０８により原稿１０９０ｂの表面の画像の読み取りを開始する。
【０１３５】
ステップＳ１２０６では、ＣＰＵ１３００Ａは、読み取った原稿１０９０ｂのＭＩＣＲ情報と原稿１０９０ｂの表面の画像情報を通信ケーブル１３０２を介してホストコンピュータ１３０１へ転送し、ステップＳ１２０７に進む。
【０１３６】
ステップＳ１２０７では、ＣＰＵ１３００Ａは、第１搬送路１１１６での原稿１０９０ｂの停止判定処理を行い（図１８）、ステップＳ１２０８に進む。
【０１３７】
図１９は、図１６のステップＳ１２０７における第１搬送路１１１６での原稿１０９０ｂの停止判定処理を説明するためフローチャート図である。
【０１３８】
図１９において、ステップＳ１２２１では、ＣＰＵ１３００Ａは、１枚先行して搬送した原稿１０９０ａの印字情報及び原稿１０９０ａの振分先の判定結果（振分指示）をホストコンピュータ１３０１から受信したかどうか判断する。
【０１３９】
ここでの原稿１０９０ａの印字情報及び原稿１０９０ａの振分先の判定結果は、図１６のステップＳ１２０６で、ホストコンピュータ１３０１に転送された１枚先行した原稿１０９０ａのＭＩＣＲ情報と表面の画像情報を基に、ホストコンピュータ１３０１により生成される。
【０１４０】
そして、ＣＰＵ１３００Ａは、１枚先行した原稿１０９０ａの印字情報及び振分先判定結果をホストコンピュータ１３０１から受信していた場合、若しくは原稿１０９０ｂが１枚目であった場合は、第１搬送路１１１６での原稿１０９０ｂの停止判定処理を終了する。
【０１４１】
一方、ＣＰＵ１３００Ａは、１枚先行した原稿１０９０ａに対する印字情報及び振分先の判定結果をホストコンピュータ１３０１から受信していない場合、ステップＳ１２２３に進む。
【０１４２】
ステップＳ１２２３では、ＣＰＵ１３００Ａは、原稿１０９０ｂが第１搬送路１１１６の停止位置に到達するまで、ホストコンピュータ１３０１から１枚先行した原稿１０９０ａに対する印字情報及び振分先の判定結果を受信したか否かを監視する。
【０１４３】
ここで、前段レジストセンサ１１１２と第１搬送路１１１６の停止位置間の距離をＬ３、原稿１０９０の搬送速度をｖとすると、Ｌ３／ｖ後に原稿１０９０ｂが第１搬送路１１１６の停止位置に到達する。従って、ＣＰＵ１３００Ａは、不図示のタイマを用いて時間を測定し、原稿１０９０の先端が前段レジストセンサ１１１２を通過した時間からＬ３／ｖ経過後に原稿１０９０ｂが第１搬送路１１１６の停止位置に到達したと判断する。
【０１４４】
そして、ＣＰＵ１３００Ａは、原稿１０９０ｂが第１搬送路１１１６の停止位置に到達してもホストコンピュータ１３０１から１枚手前の原稿１０９０ａの印字情報及び振分先の判定結果を受信していない場合は、ステップＳ１２２４に進む。
【０１４５】
ステップＳ１２２４では、ＣＰＵ１３００Ａは、原稿１０９０ａを第２搬送路１１１８で停止させているか、又は停止させることになるため、原稿１０９０ｂを第１搬送路１１１６で停止させるように第１搬送機構を制御し、ステップＳ１２２５に進む。
【０１４６】
ステップＳ１２２５では、ＣＰＵ１３００Ａは、ホストコンピュータ１３０１から１枚先行した原稿１０９０ａの印字情報及び振分先の判定結果を受信するまで待機し、受信した場合は、ステップＳ１２２６に進む。
【０１４７】
ここで、情報読取装置１３００が搬送可能な最長の長さの原稿が第１搬送路１１１６で停止しても、原稿後端がＭＩＣＲ読取ユニット１１０６及び読取ユニット１１０８を通過している必要がある。
【０１４８】
このため、本実施形態では、第１搬送路１１１６の搬送路長は、情報読取装置１３００が搬送可能な原稿の最長の長さ以上とする。
【０１４９】
具体的には、手形専用の情報読取装置が搬送する原稿の最長の長さはビジネスチェックである２１３ｍｍである。従って、本実施形態では、読取ユニット１１０８の下流端から第１搬送路１１１６の下流端である搬送ローラ対１１０４ｂの手前までの搬送路長は、２１３ｍｍに原稿を停止するのに必要な制動距離を加えた長さとしている。
【０１５０】
ステップＳ１２２６では、ＣＰＵ１３００Ａは、原稿１０９０ｂの搬送を再開してもよいかを判定し、原稿１０９０ｂの搬送を再開してもよい場合は、ステップＳ１２２７に進む。
【０１５１】
ここで、ＣＰＵ１３００Ａは、第２搬送路１１１８に原稿１０９０ａが無い場合、又は１枚先行した原稿１０９０ａの搬送が再開され、原稿１０９０ｂを搬送させても原稿１０９０ａに衝突しない場合に、原稿１０９０ｂの搬送を再開してもよいと判断する。
【０１５２】
ステップＳ１２２７では、ＣＰＵ１３００Ａは、原稿１０９０ｂの搬送を再開し、第１搬送路１１１６で原稿１０９０ｂの停止判定処理を終了する。
【０１５３】
図１６に戻って、ステップＳ１２０８では、ＣＰＵ１３００Ａは、原稿１０９０ｂを第２搬送路１１１８へ搬送し、ステップＳ１２０９に進む。
【０１５４】
ステップＳ１２０９では、ＣＰＵ１３００Ａは、原稿１０９０ｂが第１搬送路１１１６から第２搬送路１１１８へ搬送されて、第１搬送路１１１６に原稿が存在しなくなるので、次原稿の給送を許可し、ステップＳ１２１０に進む。
【０１５５】
ここで、載置ユニット１１１０から次原稿が給送されたとき、給送された次原稿について、ステップＳ１２０１からの処理が開始される。
【０１５６】
ステップＳ１２１０では、ＣＰＵ１３００Ａは、第２搬送路１１１８での原稿１０９０ｂの停止判定処理を行い、ステップＳ１２１１に進む。
【０１５７】
図２０は、図１６のステップＳ１２１０における第２搬送路１１１８での原稿１０９０ｂの停止判定処理を説明するためフローチャート図である。
【０１５８】
図２０において、ステップＳ１２３１では、ＣＰＵ１３００Ａは、原稿１０９０ｂの印字情報及び原稿１０９０ｂの振分先の判定結果（振分指示）をホストコンピュータ１３０１から受信したかどうか判断する。
【０１５９】
ここでの原稿１０９０ｂの印字情報及び原稿１０９０ｂの振分先判定結果は、図１６のステップＳ１２０６でホストコンピュータ１３０１に転送された原稿１０９０ｂのＭＩＣＲ情報と表面の画像情報の少なくとも一方の情報を基に、ホストコンピュータ１３０１により生成される。
【０１６０】
そして、ＣＰＵ１３００Ａは、原稿１０９０ｂの印字情報及び振分先の判定結果をホストコンピュータ１３０１から受信していた場合は、原稿１０９０ｂを停止させることなく、第２搬送路１１１８での原稿１０９０ｂの停止判定処理を終了する。
【０１６１】
一方、ＣＰＵ１３００Ａは、原稿１０９０ｂに対する印字情報及び振分先の判定結果をホストコンピュータ１３０１から受信していない場合、ステップＳ１２３３に進む。
【０１６２】
ステップＳ１２３３では、ＣＰＵ１３００Ａは、原稿１０９０ｂが第２搬送路１１１８の停止位置に到達するまで搬送を続けながら、ホストコンピュータ１３０１から原稿１０９０ｂに対する印字情報及び振分先の判定結果を受信したか否かを監視する。
【０１６３】
ここで、原稿有無センサ１１０９と第２搬送路１１１８の停止位置間の距離をＬ４、原稿１０９０ｂの搬送速度をｖとすると、Ｌ４／ｖ後に原稿１０９０ｂが第２搬送路１１１８の停止位置に到達する。従って、ＣＰＵ１３００Ａは、不図示のタイマを用いて時間を測定し、原稿有無センサ１１０９を原稿１０９０ｂの先端が通過した時間からＬ４／ｖ経過後に原稿１０９０ｂが第２搬送路１１１８の停止位置に到達したと判断する。
【０１６４】
そして、ＣＰＵ１３００Ａは、原稿１０９０ｂが第２搬送路１１１８の停止位置に到達してもホストコンピュータ１３０１から原稿１０９０ｂの印字情報及び振分先の判定結果を受信していない場合は、ステップＳ１２３４に進む。
【０１６５】
ステップＳ１２３４では、ＣＰＵ１３００Ａは、原稿１０９０ｂを第２搬送路１１１８で停止させ、ステップＳ１２３５に進む。
【０１６６】
ステップＳ１２３５では、ＣＰＵ１３００Ａは、ホストコンピュータ１３０１から原稿１０９０ｂの印字情報及び振分先の判定結果（振分指示）を受信するまで待機し、受信した場合は、ステップＳ１２３６に進む。
【０１６７】
ここで、情報読取装置１３００が搬送可能な最長の長さの原稿が第２搬送路１１１８で停止した場合に、原稿後端が搬送ローラ対１１０４ｂを通過しているように、第２搬送路１１１８の搬送路長は、情報読取装置１３００が搬送可能な原稿の最長の長さ以上である必要がある。
【０１６８】
その為、本実施形態では、前述したように、第２搬送路１１１８の上流端である搬送ローラ１１０４から印字ユニット１１１４の上流端までの搬送路長は、手形専用の情報読取装置が搬送する原稿の最長の長さ（ビジネスチェックの長さ２１３ｍｍ）以上としている。なお、原稿が定速で後段レジストセンサ１１１３を通過する必要がある場合は、更に原稿の搬送速度が定速に至るまでの加速距離を加えた長さとすることが望ましい。
【０１６９】
ステップＳ１２３６では、ＣＰＵ１３００Ａは、原稿１０９０ｂの搬送を再開し、第２搬送路１１１８での原稿１０９０ｂの停止判定処理を終了する。
【０１７０】
図１６に戻って、ステップＳ１２１１では、ＣＰＵ１３００Ａは、原稿１０９０ｂを下流側に搬送し、原稿１０９０ｂの先端が後段レジストセンサ１１１３を通過するのを検知して、ステップＳ１２１２に進む。
【０１７１】
ステップＳ１２１２では、原稿１０９０ｂが第２搬送路１１１８よりも更に下流に搬送され、また、次原稿が第１搬送路１１１６から第２搬送路１１１８へ搬送されるので、ＣＰＵ１３００Ａは、載置ユニット１１００に載置されている原稿の給送を許可し、ステップＳ１２１３に進む。
【０１７２】
ここで、載置ユニット１１００から原稿が給送されたとき、給送された原稿について、ステップＳ１２０１からの処理が開始される。
【０１７３】
ステップＳ１２１３では、ＣＰＵ１３００Ａは、印字ユニット１１１４により原稿１０９０ｂに対してホストコンピュータ１３０１から受信した印字情報の印字を行い、ステップＳ１２１４に進む。
【０１７４】
ここで、後段レジストセンサ１１１３と印字ユニット１１１４間の距離をＬ５、原稿１０９０ｂの搬送速度をｖとすると、Ｌ５／ｖ後に原稿１０９０ｂが印字ユニット１１１４に到達する。従って、ＣＰＵ１３００Ａは、不図示のタイマを用いて時間を測定し、原稿１０９０ｂの先端が後段レジストセンサ１１１３が通過した時間からＬ５／ｖ経過後に、印字ユニット１１１４によりホストコンピュータ１３０１から受信した印字情報の印字を原稿１０９０ｂに対して行う。
【０１７５】
ステップＳ１２１４では、ＣＰＵ１３００Ａは、読取ユニット１１１５により原稿１０９０ｂの裏面の画像を読み取り、読み取った裏面画像情報を、通信ケーブル１３０２を介してホストコンピュータ１３０１に送信し、ステップＳ１２１５に進む。
【０１７６】
ここで、後段レジストセンサ１１１３と読取ユニット１１１５間の距離をＬ６とすると、Ｌ６／ｖ後に原稿１０９０ｂは、読取ユニット１１１５に到達する。従って、ＣＰＵ１３００Ａは、不図示のタイマを用いて時間を測定し、原稿１０９０ｂの先端が後段レジストセンサ１１１３を通過した時間からＬ６／ｖ経過後に読取ユニット１１１５による原稿１０９０ｂの裏面画像の読み取りを開始する。
【０１７７】
ステップＳ１２１５では、ＣＰＵ１３００Ａは、ホストコンピュータ１３０１から受信した原稿１０９０ｂの振分先の判定結果に基づいて、原稿１０９０ｂを第１排紙ユニット１１０２若しくは第２排紙ユニット１１０３へ振分けて搬送し、処理を終了する。その他の構成及び作用効果は、上記第１の実施の形態と同様である。
【０１７８】
（実施形態３）
次に、本発明の第３の実施の形態について説明する。
【０１７９】
図２１は、本発明の第３の実施の形態に係る原稿処理装置の一例である情報読取装置を説明するための斜視図であり、図２２は、図２１における情報読取装置の平面図であり、図２３は、図２１における情報読取装置の搬送路の展開図である。
【０１８０】
図２１において、本実施形態に係る原稿処理装置の一例である情報読取装置２３００は、例えば、図３に示す原稿１０９０の所定位置に磁気インクによって印字されたＭＩＣＲ文字１０９１を磁気的又は光学的に読み取るチェックスキャナ装置である。また、印字領域におけるインク滴回収の構造、予備吐出のタイミング等は上述した実施形態１と同様にすることが可能であるから、その説明は省略する。
【０１８１】
具体的には、情報読取装置２３００は、載置ユニット２１００、搬送路２１１０、第１排紙ユニット２１０２及び第２排紙ユニット２１０３を備え、通信ケーブル２３０２を介してホストコンピュータ２３０１（情報処理装置）と通信可能に接続されて原稿処理システムの一例である画像読取システムを構成する。搬送路２１１０は、湾曲搬送路２１２０、上流搬送路２１２１、下流搬送路２１２２から主として構成されている。なお、情報読取装置２３００とホストコンピュータ２３０１との接続は、通信ケーブル２３０２等の有線接続でもよいが、無線接続としてもよい。
【０１８２】
図２２及び図２３において、上流搬送路２１２１は、搬送路２１１０のうち、分離ローラ２１０７と給送ローラ２１０５とからなるローラ対から搬送ローラ対２１０４ａの前流までの領域であり、湾曲搬送路２１２０は、搬送ローラ対２１０４ａの前流から搬送ローラ対２１０４ｂの後流までの領域である。また、下流搬送路２１２２は、搬送ローラ対２１０４ｂの後流から排紙ローラ対２１２７までの領域である。このような搬送路２１１０は、例えば、本実施形態では、装置本体の上部に開口するスリット形状で設けられている。
【０１８３】
湾曲搬送路２１２０の搬送路長は、情報読取装置２３００が搬送可能な原稿の最長長さ（ビジネスチェックの長さ２１３ｍｍ）の２倍以上であり、通常、装置の大型化を防止するため、搬送可能な原稿の最長長さの２倍以上、５倍以下の長さに設定されることが好ましいが、より好ましくは、２倍以上３倍以下の長さに設定するのがよい。この搬送路長は、例えば、情報読取装置２３００が搬送する原稿の最長長さの２倍に原稿の停止に必要な制動距離を加えた長さよりも長い。また、下流搬送路２１２２の搬送路長は、ビジネスチェックの長さよりも短く、パーソナルチェック（又はアメリカンチェック）と呼ばれる長さ１５２ｍｍに加速距離を加えた長さに設定される。
【０１８４】
このような湾曲搬送路２１２０は、例えば、本実施形態では、Ｍ字型を形成しており、第１Ｕターンユニット２１２０ａ、第２Ｕターンユニット２１２０ｂ及び第３Ｕターンユニット２１２０ｃを備えている。第２Ｕターンユニット２１２０ｂは、第１Ｕターンユニット２１２０ａとは逆方向にＵターンし、第３Ｕターンユニット２１２０ｃは、第２Ｕターンユニット２１２０ｂと逆方向にＵターンしている。
【０１８５】
湾曲搬送路２１２０の上流側の上流搬送路２１２１には、分離ローラ２１０７と給送ローラ２１０５とのローラ対が配置されており、分離ローラ２１０７及び給送ローラ２１０５により給送ユニットを構成している。また、分離ローラ２１０７と給送ローラ２１０５とのローラ対に隣接して、ＭＩＣＲ文字読取ユニット２１０６及び読取ユニット２１０８が配置されている。また、ＭＩＣＲ文字読取ユニット２１０６及び読取ユニット２１０８（第１読取ユニット）により第１処理ユニット２１２５を構成している。また、分離ローラ２１０７と給送ローラ２１０５とのローラ対と第１処理ユニット２１２５との間には、原稿の到達及び通過を検知する前段のレジストセンサ２１１２が設置されている。なお、ＭＩＣＲ文字読取ユニット２１０６と画像の読取ユニット２１０８とを逆に配置してもよい。
【０１８６】
さらに、湾曲搬送路２１２０の第１Ｕターンユニット２１２０ａ及び第３Ｕターンユニット２１２０ｃには、それぞれ第１搬送ユニットとしての搬送ローラ対２１０４ａ及び第２搬送ユニットとしての搬送ローラ対２１０４ｂが配置されている。
【０１８７】
また、湾曲搬送路２１２０の下流側の下流搬送路２１２２には、印刷ユニットとしての印字ユニット２１１４及び第２読取ユニットとしての読取ユニット２１１５が配置されており、印字ユニット２１１４と読取ユニット２１１５により第２処理ユニット２１２６を構成している。搬送ローラ対２１０４ｂと第２処理ユニット２１２６との間には、原稿１０９０の搬送方向に沿って順次原稿有無センサ２１０９及び後段レジストセンサ２１１３が配置されている。
【０１８８】
分離ローラ２１０７と給送ローラ２１０５とのローラ対の上流には、原稿１０９０を搬送路２１１０に給送する原稿の載置ユニット２１００が設けられており、第２処理ユニット２１２６の下流には排紙ローラ対２１２７が配置されている。排紙ローラ対２１２７は各種処理が施された原稿１０９０を原稿排紙ユニットとしての第１排紙ユニット２１０２又は第２排紙ユニット２１０３に排紙する。
【０１８９】
情報読取装置２３００は、搬送ローラ対２１０４ａ及び搬送ローラ対２１０４ｂをそれぞれ別個独立に駆動する図示省略した制御ユニット、及び第１処理ユニット２１２５で取得した原稿１０９０の情報を外ユニット機器としての情報処理装置に送信する送信ユニットを備えている。
【０１９０】
ここで、給送される原稿１０９０は、レジストセンサ２１１２を通過した後、ＭＩＣＲ文字読取ユニット２１０６によってＭＩＣＲ文字１０９１が読み取られた後、読取ユニット２１０８によって表面の画像が読み取られる。このとき、画像読取装置２３００は、原稿１０９０の先端がレジストセンサ２１１２に到達した際の信号を基に、ＭＩＣＲ文字読取ユニット２１０６によるＭＩＣＲ文字の読取開始のタイミング及び読取ユニット２１０８による表面画像の読取開始タイミングを算出する。そして、当該タイミングで原稿１０９０の表面の下端に印字されているＭＩＣＲ文字１０９１の読み取り及び表面画像の読み取りを行う。
【０１９１】
情報読取装置２３００の送信ユニットは、第１処理ユニット２１２５で読み取ったＭＩＣＲ情報及び表面画像情報を、通信ケーブル２３０２を介してホストコンピュータ２３０１へ送信する。
【０１９２】
ホストコンピュータ２３０１は、情報読取装置２３００から送信されたＭＩＣＲ情報及び表面画像情報に基づいて、原稿１０９０の処理が行われたことを示すために原稿１０９０の裏面に印字される印字情報を生成し、原稿１０９０の排紙先を判定する。生成された印字情報と原稿１０９０の排紙先の判定結果は、ホストコンピュータ２３０１から通信ケーブル２３０２を介して情報読取装置２３００に送信される。
【０１９３】
一方、印字情報と排紙先の判定結果を受信した情報読取装置２３００は、原稿１０９０の先端が後段レジストセンサ２１１３に到達した際の信号を基に、印字ユニット２１１４による印字情報の印字開始のタイミングを算出し、当該タイミングにより印字を行う。また、情報読取装置２３００は、原稿１０９０の先端が後段レジストセンサ２１１３に到達した際の信号を基に、裏面画像の読取ユニット２１１５によって原稿１０９０の裏面画像読み取りタイミングを算出し、当該タイミングにより裏面画像の読み取りを行う。
【０１９４】
その後は、情報読取装置２３００は、ホストコンピュータ２３０１から受信した原稿１０９０の排紙先の判定結果に基づいて、裏面の画像が読み取られた後の原稿１０９０を第１排紙ユニット２１０２又は第２排紙ユニット２１０３に振分けて搬送する。
【０１９５】
そして、このような搬送経路を形成する本実施形態の情報読取装置２３００においては、湾曲搬送路２１２０をはじめとする搬送路が、装置本体に開閉可能に設けられた開閉ユニットに形成されている。具体的には、湾曲搬送路２１２０、上流搬送路２１２１及び下流搬送路２１２２を形成する開閉ユニットは、情報読取装置２３００を構成する構成部材としてのケーシングを有し、このケーシングは、装置本体に対して開閉可能に設けられている。そして、このような開閉ユニットは、各搬送路に沿って分解及び組み立て可能な開閉機構の一部を構成している。
【０１９６】
図２４は、図２１における情報読取装置の開閉機構を説明するための平面図である。
【０１９７】
図２４において、上流搬送路２１２１を形成するケーシングユニット２１２１ｄは、載置ユニット２１００の近傍に設けられた枢軸（以下、「ヒンジ軸」という）２１２９を回転軸とする枢着ユニットによって水平方向に沿って回動自在に装置本体に係止されている。これによって上流搬送路２１２１が搬送路の開閉ユニット２１３０に沿って分解、組み立て可能、すなわち開閉自在となる。また、湾曲搬送路２１２０に対応する搬送路構成部材としてのケーシングユニット２１２０ｄは、湾曲搬送路２１２０と下流搬送路２１２２との境界部に設けられたヒンジ軸２１２８を回転軸として水平方向に開閉自在に設けられており、これによって湾曲搬送路２１２０が湾曲搬送路の開閉ユニット２１３０に沿って分解、組み立て可能となる。また、下流搬送路２１２２を形成するケーシングユニット２１２２ｄは、湾曲搬送路のケーシング２１２０ｄと同様の回転軸（同軸）である、下流搬送路２１２２と湾曲搬送路２１２０との境界部に設けられたヒンジ軸２１２８を回転軸として開閉自在に設けられており、これによって下流搬送路２１２２が搬送路の開閉ユニット２１３０に沿って分解、組み立て可能となる。
【０１９８】
図２４では、湾曲搬送路２１２０のケーシング２１２０ｄ、上流搬送路２１２１のケーシング２１２１ｄ、及び下流搬送路２１２２のケーシング２１２２ｄはそれぞれ開閉機構によって開かれている。各搬送路のケーシングを、搬送路を開閉可能に形成することによって、メンテナンス性が向上し、ローラの清掃や搬送不良時におけるジャム処理を容易に行うことができる。
【０１９９】
次に、湾曲搬送路２１２０のケーシング２１２０ｄと、下流搬送路２１２２のケーシング２１２２との共通のヒンジ軸２１２８の配置位置について図面を参照して説明する。
【０２００】
図２５は、図２４の情報読取装置における開閉機構の枢軸位置を説明するための平面図である。
【０２０１】
図２５において、一点鎖線Ａは湾曲搬送路２１２０の第２Ｕターンユニット２１２０ｂの入口部分に垂直で、かつ第２Ｕターンユニット２１２０ｂを形成する円弧の中心ａを通る直線である。一方、一点鎖線Ｂは第３Ｕターンユニット２１２０ｃの入口部分に垂直で、かつ第３Ｕターンユニット２１２０ｃを形成する円弧の中心ｂを通る直線である。図２５中、一点鎖線Ａと一点鎖線Ｂとの交点ｃの下方であって、一点鎖線Ａと一点鎖線Ｂとで挟まれた領域（ハッチング領域）内にヒンジ軸を設けることにより、湾曲搬送路２１２０のケーシング２１２０ｄが、装置本体と干渉することなく回動自在となる。本実施形態においては、装置全体の小型化を図るために、湾曲搬送路２１２０のケーシング２１２０ｄの回転の中心であるヒンジ軸２１２８を、一点鎖線Ａと一点鎖線Ｂとの交点ｃ上に配置している。
【０２０２】
次に、図２６〜図３１を参照して、本実施形態における情報読取装置２３００の動作について説明する。
【０２０３】
図２６は、情報読取装置の動作を示すフローチャート図であり、図２７〜図２９は、画像読取装置の動作例を説明するための搬送路の展開図である。図２６における処理は、情報読取装置２３００の図示省略したＲＯＭやハードディスク等に記憶された制御プログラムが図示省略したＲＡＭにロードされて、図示省略したＣＰＵ（以下、ＣＰＵ２３００Ａという）により実行される。
【０２０４】
図２６において、先ずステップＳ２２４１では、ＣＰＵ２３００Ａは、ホストコンピュータ２３０１から通信ケーブル２３０２を介して読取処理の開始指示を受信すると、図示省略した原稿検知センサを介して載置ユニット２１００に原稿１０９０ａが載置されているか否かを判断する（図２７）。
【０２０５】
そして、載置ユニット２１００に原稿１０９０ａが載置されている場合は、ステップＳ２２４２に進む。
【０２０６】
ステップＳ２２４２では、ＣＰＵ２３００Ａは、載置ユニット２１００から給送を始める原稿１０９０ａに対して給送開始が可能であるか否かを判定し、給送可能である場合は、ステップＳ２２４３に進む。
【０２０７】
ここで、ＣＰＵ２３００Ａが原稿１０９０ａの給送開始が可能であると判定を行う場合は、上述した第１の実施の形態においてＣＰＵ１３００Ａが原稿１０９０の給送開始が可能であると判定を行う場合（条件（１）〜（３））と同じである。
【０２０８】
なお、本実施形態において制御情報としては、ＭＩＣＲ判定結果だけの情報でもよいし、印字情報だけでもよいし、振分先情報だけでもよい。印字情報や振分先情報は、例えば、ＭＩＣＲ判定結果に基づいて情報読取装置２３００内の制御ユニット等で生成するようにしてもよい。振分先は、例えば、本実施形態では、２つの排紙ユニットとしたが、１つでもよいし、あるいは３つ以上としてもよい。また、振分先とは、例えば、本実施形態では、原稿を排出する第１排紙ユニット２１０２、第２排紙ユニット２１０３のことである。この振分先は、ホストコンピュータ２３０１の判定によって、第１排紙ユニット２１０２又は第２排紙ユニット２１０３のどちらかとなる。例えば、第１排紙ユニット２１０２にＭＩＣＲ文字１０９１の判定結果が完了した原稿を排出し、第２排紙ユニット２１０３にＭＩＣＲ文字１０９１の判定結果が完了していない原稿を排出するように設定することができる。
【０２０９】
ＣＰＵ２３００Ａは、上記（１）〜（３）のいずれかの条件を満たすことによって、載置ユニット２１００に載置された原稿１０９０ａに対して給送開始が可能であると判定する。
【０２１０】
次に、ステップＳ２２４３では、ＣＰＵ２３００Ａは、載置ユニット２１００に載置された原稿１０９０ａを分離ローラ２１０７で一枚ずつ分離しながら給送ローラ２１０５により上流搬送路２１２１に給送し（図２８）、ステップＳ２２４４に進んで、所定の処理を行う。なお、以下、説明の対象となる原稿を図２８の原稿１０９０ｂとして説明する。
【０２１１】
ステップＳ２２４４では、ＣＰＵ２３００Ａは、ＭＩＣＲ文字読取ユニット２１０６により給紙ローラ１０５が搬送している原稿１０９０ｂに印字されているＭＩＣＲ文字１０９１を読み取り、ステップＳ２２４５に進む。
【０２１２】
ここで、ＭＩＣＲ文字読取ユニット２１０６による原稿１０９０ｂのＭＩＣＲ文字１０９１の読み取りタイミングは、上記第１の実施の形態におけるＭＩＣＲ読取ユニット１１０６による原稿１０９０ｂのＭＩＣＲ文字１０９１の読み取りタイミングと同じである。
【０２１３】
ステップＳ２２４５では、ＣＰＵ２３００Ａは、読取ユニット２１０８により原稿１０９０ｂの表面の画像を読み取り、ステップＳ２２４６に進む。
【０２１４】
ここで、読取ユニット２１０８による原稿１０９０ｂの表面の画像の読み取りタイミングは、上記第１の実施の形態における読取ユニット１１０８による原稿１０９０ｂの表面の画像の読み取りタイミングと同じである。
【０２１５】
ステップＳ２２４６では、ＣＰＵ２３００Ａの送信ユニットは、読み取った原稿１０９０ｂのＭＩＣＲ情報と原稿１０９０ｂの表面の画像情報を、通信ケーブル２３０２を介してホストコンピュータ２３０１へ転送し、ステップＳ２２４７に進む。
【０２１６】
ステップＳ２２４７では、ＣＰＵ２３００Ａは、湾曲搬送路２１２０での原稿１０９０ｂの停止判定処理を行い、ステップＳ２２４８に進む。
【０２１７】
図３０は、図２６のステップＳ２２４７における湾曲搬送路２１２０での原稿１０９０ｂの停止判定処理を示すフローチャート図である。
【０２１８】
図３０において、ステップＳ２７１では、ＣＰＵ２３００Ａは、１枚先行して搬送した原稿１０９０ａの印字情報及び原稿１０９０ａの振分先の判定結果（振分指示）をホストコンピュータ２３０１から受信したかどうか判断する。
【０２１９】
原稿１０９０ａの印字情報及び原稿１０９０ａの振分先の判定結果（制御情報）は、ステップＳ２２４６で、ホストコンピュータ２３０１に転送された１枚先行した原稿１０９０ａのＭＩＣＲ情報と表面の画像情報を基に、ホストコンピュータ２３０１により生成される。
【０２２０】
ＣＰＵ２３００Ａは、１枚先行した原稿１０９０ａの印字情報及び振分先判定結果をホストコンピュータ２３０１から受信していた場合又は原稿１０９０ｂが１枚目である場合は、原稿１０９０ｂを停止させることなく、湾曲搬送路２１２０での原稿１０９０ｂの停止判定処理を終了する。
【０２２１】
一方、ＣＰＵ２３００Ａは、１枚先行した原稿１０９０ａに対する印字情報及び振分先の判定結果をホストコンピュータ２３０１から受信していない場合、ステップＳ２７３に進む。
【０２２２】
ステップＳ２７３では、ＣＰＵ２３００Ａは、搬送ローラ対２１０４ａにより搬送されている原稿１０９０ｂが湾曲搬送路２１２０の停止位置に到達するまで、ホストコンピュータ２３０１から１枚先行した原稿１０９０ａに対する印字情報及び振分先の判定結果を受信したか否かを監視する。
【０２２３】
ここで、前段レジストセンサ２１１２と湾曲搬送路２１２０の停止位置との距離をＬ７、原稿１０９０の搬送速度をｖとすると、Ｌ７／ｖ後に原稿１０９０ｂが湾曲搬送路２１２０の停止位置に到達する。従って、ＣＰＵ２３００Ａは、図示省略したタイマを用いて時間を測定し、原稿１０９０の先端が前段レジストセンサ２１１２を通過した時間からＬ７／ｖ経過後に原稿１０９０ｂが湾曲搬送路２１２０の停止位置に到達したと判断する。なお、ここでは湾曲搬送路２１２０の停止位置は、搬送ローラ対２１０４ｂの直前に設定する。
【０２２４】
そして、ＣＰＵ２３００Ａは、原稿１０９０ｂが湾曲搬送路２１２０の停止位置に到達してもホストコンピュータ２３０１から１枚手前の原稿１０９０ａの印字情報及び振分先の判定結果を受信していない場合は、ステップＳ２２７４に進む。
【０２２５】
ステップＳ２２７４では、ＣＰＵ２３００Ａは、原稿１０９０ａを下流搬送路２１２２で停止させているか、又は停止させることになるため、原稿１０９０ｂを湾曲搬送路２１２０で停止させるように搬送ローラ対２１０４ａを制御し、ステップＳ２２７５に進む。
【０２２６】
ここで、原稿１０９０ａ又は１０９０ｂを下流搬送路２１２２や湾曲搬送路２１２０等で停止させるとは、これら搬送路に停止位置をそれぞれ設けて、その停止位置の手前で原稿１０９０ａ又は１０９０ｂを停止させるようにすることをいう。例えば、上記「原稿の先端部を停止位置で停止させる」とは、原稿の先端部が停止位置又はその手前、すなわち、停止位置を実質的に超えないように、原稿の搬送速度を制御して原稿の搬送を停止させることを含むものとする。また、上記「原稿の搬送を停止させる」とは、原稿の搬送を完全停止させて原稿を搬送路内に静止状態とする場合だけでなく、原稿を搬送路内に静止状態とせず低速搬送の場合も含むものとする。
【０２２７】
ステップＳ２２７５では、ＣＰＵ２３００Ａは、ホストコンピュータ２３０１から１枚先行した原稿１０９０ａの印字情報及び振分先の判定結果Ｕ（振分指示）を受信するまで待機し、受信した場合は、ステップＳ２２７６に進む。
【０２２８】
ステップＳ２２７６では、ＣＰＵ２３００Ａは、原稿１０９０ｂの搬送を再開してもよいか否かを判断し、原稿１０９０ｂの搬送を再開してもよい場合は、ステップＳ２２７７に進む。なお、搬送を再開する場合には、原稿１０９０ｂの搬送速度を定常速度に戻す等により実行することができる。
【０２２９】
ＣＰＵ２３００Ａは、下流搬送路２１２２に原稿１０９０ａが無い場合、又は１枚先行した原稿１０９０ａの下流搬送路２１２２による搬送が再開され、原稿１０９０ｂを搬送させても原稿１０９０ａに衝突しない場合に、搬送ローラ対２１０４ａによる原稿１０９０ｂの搬送を再開してもよいと判断する。
【０２３０】
ステップＳ２２７７では、ＣＰＵ２３００Ａは、搬送ローラ対２１０４ａによる原稿１０９０ｂの搬送を再開し、湾曲搬送路２１２０での原稿１０９０ｂの停止判定処理を終了する。
【０２３１】
図２６に戻って、ステップＳ２２４８において、ＣＰＵ２３００Ａは、搬送した原稿１０９０ｂの長さがパーソナルチェックのサイズ以下の場合は、ステップＳ２２４９に進み、搬送した原稿１０９０ｂの長さがパーソナルチェックのサイズを超える場合は、ステップＳ２２４９をスキップしてステップＳ２２５０に進む。
【０２３２】
ステップＳ２２４９では、ＣＰＵ２３００Ａは、次原稿の給送を許可し、ステップＳ２２５０に進む。
【０２３３】
ここで、載置ユニット２１００から次原稿が搬送路２１１０に給送されたとき、給送された次原稿についてステップＳ２２４１からの処理が開始される。また、ＣＰＵ２３００Ａは、原稿１０９０ｂの長さがパーソナルチェックのサイズを超える場合は、次原稿の給送の許可を行わない。
【０２３４】
ステップＳ２２５０では、ＣＰＵ２３００Ａは、原稿１０９０ｂを下流搬送路２１２２へ搬送し、ステップＳ２２５１に進む。
【０２３５】
ステップＳ２２５１では、ＣＰＵ２３００Ａは、原稿１０９０ｂを搬送ローラ対２１０４ｂにより搬送しながら下流搬送路２１２２での原稿１０９０ｂの停止判定処理を行い、ステップＳ２２５２に進む。
【０２３６】
図３１は、図２６のステップＳ２２５１における下流搬送路２１２２での原稿１０９０ｂの停止判定処理を示すフローチャート図である。
【０２３７】
図３１において、ステップＳ２２８１では、ＣＰＵ２３００Ａは、原稿１０９０ｂの印字情報及び原稿１０９０ｂの振分先の判定結果（振分指示）をホストコンピュータ２３０１から受信したかどうか判断する。
【０２３８】
原稿１０９０ｂの印字情報及び原稿１０９０ｂの振分先の判定結果は、図２６のステップＳ２２４６で、ホストコンピュータ２３０１に転送された原稿１０９０ｂのＭＩＣＲ情報と表面の画像情報の少なくとも一方の情報を基に、ホストコンピュータ２３０１により生成される。
【０２３９】
そして、ＣＰＵ２３００Ａは、原稿１０９０ｂの印字情報及び振分先の判定結果をホストコンピュータ２３０１から受信していた場合は、原稿１０９０ｂを停止させることなく、下流搬送路２１２２での原稿１０９０ｂの停止判定処理を終了する。
【０２４０】
一方、ＣＰＵ２３００Ａは、原稿１０９０ｂに対する印字情報及び振分先の判定結果をホストコンピュータ２３０１から受信していない場合、ステップＳ２２８３に進む。
【０２４１】
ステップＳ２２８３では、ＣＰＵ２３００Ａは、搬送ローラ対２１０４ｂにより原稿１０９０ｂが下流搬送路２１２２の停止位置に到達するまで搬送を続けながら、ホストコンピュータ２３０１から原稿１０９０ｂに対する印字情報及び振分先の判定結果を受信したか否かを監視する。下流搬送路２１２２の停止位置は、印字ユニット２１１４の直前にある後段レジストセンサ２１１３の手前とする。
【０２４２】
ここで、原稿有無センサ２１０９と下流搬送路２１２２の停止位置との距離をＬ８、原稿１０９０ｂの搬送速度をｖとすると、Ｌ８／ｖ後に原稿１０９０ｂが下流搬送路２１２２の停止位置に到達する。従って、ＣＰＵ２３００Ａは、図示省略したタイマを用いて時間を測定し、原稿有無センサ２１０９を原稿１０９０ｂの先端が通過した時間からＬ８／ｖ経過後に原稿１０９０ｂが下流搬送路２１２２の停止位置に到達したと判断する。
【０２４３】
そして、ＣＰＵ２３００Ａは、原稿１０９０ｂが下流搬送路２１２２の停止位置に到達してもホストコンピュータ２３０１から原稿１０９０ｂの印字情報及び振分先の判定結果を受信していない場合は、ステップＳ２２８４に進む。
【０２４４】
ステップＳ２２８４では、ＣＰＵ２３００Ａは、原稿１０９０ｂを下流搬送路２１２２で停止させ、ステップＳ２２８５に進む。
【０２４５】
ステップＳ２２８５では、ＣＰＵ２３００Ａは、ホストコンピュータ２３０１から原稿１０９０ｂの印字情報及び振分先の判定結果（振分指示）を受信するまで待機し、受信した場合は、ステップＳ２２８６に進む。
【０２４６】
ステップＳ２２８６では、ＣＰＵ２３００Ａは、搬送ローラ対２１０４ｂによる原稿１０９０ｂの搬送を再開し、下流搬送路２１２２での原稿１０９０ｂの停止判定処理を終了する。
【０２４７】
図２６に戻って、ステップＳ２２５２では、ＣＰＵ２３００Ａは、原稿１０９０ｂを下流側に搬送し、原稿１０９０ｂの先端が後段レジストセンサ２１１３を通過するのを検知して、ステップＳ２２５３に進む。
【０２４８】
ステップＳ２２５３では、ＣＰＵ２３００Ａは、原稿１０９０ｂが下流搬送路２１２２から更に下流に搬送され、また、次原稿が湾曲搬送路２１２０から下流搬送路２１２２へ搬送されるので、載置ユニット２１００に載置されている原稿の給送を許可し、ステップＳ２２５４に進む。
【０２４９】
載置ユニット２１００から原稿が給送されたとき、給送された原稿について、ステップＳ２２４１からの処理が開始される。
【０２５０】
ステップＳ２２５４では、ＣＰＵ２３００Ａは、印字ユニット２１１４により原稿１０９０ｂに対してホストコンピュータ２３０１から受信した印字情報の印字を行い、ステップＳ２２５５に進む。
【０２５１】
ここで、印字ユニット２１１４によるホストコンピュータ２３０１から受信した印字情報の印字を原稿１０９０ｂに対して行うタイミングは、上記第１の実施の形態における印字ユニット１１１４による印字情報の印字を原稿１０９０ｂに対して行うタイミングと同じである。
【０２５２】
ステップＳ２２５５では、ＣＰＵ２３００Ａは、読取ユニット２１１５により原稿１０９０ｂの裏面の、例えば、印刷面の画像を読み取り、読み取った裏面画像情報を送信ユニットから通信ケーブル２３０２を介してホストコンピュータ２３０１に送信し、ステップＳ２２５６に進む。
【０２５３】
ここで、読取ユニット２１１５による原稿１０９０ｂの裏面画像の読み取りを開始するタイミングは、上記第１の実施の形態における読取ユニット１１１５による原稿１０９０ｂの裏面画像の読み取りを開始するタイミングと同じである。
【０２５４】
ステップＳ２２５６では、ＣＰＵ２３００Ａは、ホストコンピュータ２３０１から受信した原稿１０９０ｂの振分先の判定結果に基づいて、原稿１０９０ｂを第１排紙ユニット２１０２もしくは第２排紙ユニット２１０３へ振分けて搬送し、処理を終了する。
【０２５５】
本実施形態によれば、第１処理ユニット２１２５を原稿１０９０ａの後端が通過した後、ホストコンピュータ２３０１から転送される原稿１０９０ａの制御情報を受信することなく、次の原稿１０９０ｂの給送を開始することが可能となるので、原稿の処理能力、特に原稿の処理速度を高めることができる。
【０２５６】
なお、本実施形態におけるホストコンピュータ１３０１の動作については、上記第１の実施の形態（図１５）と同様であるのでその説明を省略する。
【０２５７】
本実施形態における情報読取装置２３００は、原稿の先端部が第２処理ユニット２１２６の手前に位置している状態で、印字情報及び振分先の判定結果を受信済みである限り、原稿は搬送路２１１０内で搬送停止することなく第１処理ユニット２１２５及び第２処理ユニット２１２６により連続的に高速処理されることになる。
【０２５８】
すなわち、本実施形態では、一の原稿が第１処理ユニット２１２５を通過した後、該一の原稿の処理に関する制御情報を受信する時点で、一の原稿の先端部が第２処理ユニット２１２６の手前に位置するように搬送制御しているので、ホストコンピュータ２３０１から一の原稿の制御情報を受信することなく、次の原稿の給送を開始することが可能となる。また、一の原稿の制御情報を受信後、直ぐに第２処理を開始することができるので、これによって、複数の原稿を連続的に処理する場合であっても処理能力を向上させることができる。
【０２５９】
また、本実施形態によれば、搬送路２１１０の一部に湾曲搬送路２１２０を設け、且つその湾曲搬送路２１２０を、情報読取装置の一部に開閉可能に設けられた開閉ユニット２１３０に形成するようにしたので、メンテナンス性を向上することができる。例えば、原稿の搬送不良（例えば、ジャム等の紙詰まり）が生じた場合においては、開閉ユニット２１３０を開状態とすることで湾曲搬送路２１２０の全体を一度に開放することができる。これにより、例えば、損傷等した原稿を取り出し易くなり、メンテナンス性を向上することができる。
【０２６０】
また、湾曲搬送路２１２０のケーシング２１２０ｄを水平方向に沿って開閉自在に構成したので、ケーシングを閉じた組み立て状態における搬送ローラ対２１０４ａ及び１０４ｂの押圧力を上下方向に均一にすることができ、これによって、原稿の搬送状態が安定する。
【０２６１】
また、本実施形態によれば、湾曲搬送路２１２０のケーシング２１２０ｄと下流搬送路２１２２のケーシング２１２２ｄのヒンジ軸を同一軸２１２８としたので、部品点数の削減及び、さらなる装置の小型化を図ることができる。
【０２６２】
さらに、本実施形態によれば、湾曲搬送路２１２０の搬送路長を搬送可能な最長の原稿の搬送路に沿った長さの２倍以上としたので、ホストコンピュータ２３０１の処理時間を多く確保することができ、これにより、搬送路２１１０で原稿が待機、停止する頻度を低く抑えることができ、結果として原稿の処理速度を高めることが可能となる。また、搬送路２１１０の一部を湾曲搬送路としたので、装置全体を大型化することなく、むしろ小型化することができる。すなわち、搬送路２１１０の一部に、第１Ｕターンユニット２１２０ａ、第２Ｕターンユニット２１２０ｂ、及び第３Ｕターンユニット２１２０ｃを有するので、搬送路が長くなるにも関わらず装置の小型化を図ることができる。
【０２６３】
また、本実施形態によれば、第１搬送ユニット及び第２搬送ユニットとしての搬送ローラ対２１０４ａ及び搬送ローラ対２１０４ｂとして同型のものを適用することができるので部品点数が減少し、紙ストレスの均一化及びコストの低減を図ることができる。
【０２６４】
本実施形態において、湾曲搬送路２１２０の形状を、Ｕターンユニットを３個有するＭ字形状にしたが、本発明は、これに限定されるものではなく、開閉機構に影響を与えない範囲で、Ｕターンユニットを４個以上有する形状にしてもよい。また、搬送される原稿１０９０が上下に揺動することを防止するために、任意の従動ローラを上下方向に沿って傾けるようにしてもよい。
【０２６５】
本実施形態において、湾曲搬送路２１２０のケーシング２１２０ｄのヒンジ軸と下流搬送路２１２２のケーシング２１２２ｄのヒンジ軸とを同一としたが、これに限定されるものではなく、湾曲搬送路２１２０のケーシング２１２０ｄのヒンジ軸と上流搬送路２１２１のケーシング２１２１ｄのヒンジ軸とを同一としてもよい。
【０２６６】
なお、上述した本実施形態では、ホストコンピュータ２３０１から原稿の振分先や印字情報等の指示情報を含む制御情報（制御信号）を受信するようにしたが、このような制御信号を情報読取装置２３００内で生成するようにしてもよい。
【０２６７】
また、上述した本実施形態では、チェックスキャナを例示して説明したが、本発明は勿論これに限定されず、例えば、原稿（シート）の画像読取や画像形成等の各種処理を施す原稿処理装置及び原稿処理システムに適用することができる。
【０２６８】
また、本実施形態において、搬送ローラ対２１０４ａ及び１０４ｂにおける原稿１０９０の搬送速度は、常に一定の定常速度ｖに調整される。
【０２６９】
本発明において、制御ユニットは、制御情報を受け取るまでに一の原稿を第２処理ユニットより手前の位置まで搬送すると共に、受け取った制御情報に基づいて第２処理ユニットに原稿を搬送するよう搬送ユニットを制御するようにしてもよい。これにより、原稿の更なる高速処理を行うことができる。制御ユニットは、一の原稿が第２処理ユニットの手前の位置に到達する前に制御情報を受け取った場合においては、一の原稿の搬送を第２処理ユニットの手前で停止させることなく、そのまま第２処理ユニットに原稿を連続的に搬送するよう搬送ユニットを制御する。これにより、原稿の高速処理を実現することができる。
【０２７０】
以上、本発明を各実施の形態に基づいて説明したが、本発明は、第２処理ユニットの手前に、第１処理ユニットで処理された一の原稿を収容できるスペースを搬送路に確保した構造を有する原稿処理装置だけでなく、このような原稿処理装置を制御するための制御方法、当該制御方法を実行するための制御プログラム（制御プログラム製品）、原稿処理装置と情報処理装置（ホストコンピュータ）とを接続して構成される原稿処理システム等についても広く展開可能である。
【符号の説明】
【０２７１】
１０  インクジェット式記録ヘッド（記録ヘッド）
２０，２０Ａ，２０Ｂ  インク滴回収部材
２１  インク滴取込口
２２  インク滴回収壁
２３  側壁
１０９０    原稿
１０９０ａ  原稿
１０９０ｂ  原稿
１０９１    ＭＩＣＲ文字
１１００    載置ユニット
１１０２    第１排紙ユニット
１１０３    第２排紙ユニット
１１０４ａ  搬送ローラ対
１１０４ｂ  搬送ローラ対
１１０５    給送ローラ
１１０６    ＭＩＣＲ読取ユニット
１１０７    分離ローラ
１１０８    読取ユニット
１１０９    原稿有無センサ
１１１０    搬送路
１１１２    前段レジストセンサ
１１１３    後段レジストセンサ
１１１４    印字ユニット
１１１５    読取ユニット
１１１６    第１搬送路
１１１８    第２搬送路
１３００    情報読取装置
１３０１    ホストコンピュータ
１３０２    通信ケーブル
２１００    載置ユニット
２１０２    第１排紙ユニット
２１０３    第２排紙ユニット
２１０４ａ  搬送ローラ対
２１０４ｂ  搬送ローラ対
２１０５    給送ローラ
２１０６    ＭＩＣＲ文字読取ユニット
２１０７    分離ローラ
２１０８    読取ユニット
２１０９    原稿有無センサ
２１１０    搬送路
２１１２    前段レジストセンサ
２１１３    後段レジストセンサ
２１１４    印字ユニット
２１１５    読取ユニット
２１２０    湾曲搬送路
２１２０ａ  第１Ｕターンユニット
２１２０ｂ  第２Ｕターンユニット
２１２０ｃ  第３Ｕターンユニット
２１２０ｄ  ケーシングユニット
２１２１    上流搬送路
２１２２    下流搬送路
２１２８    ヒンジ軸
２１３０    開閉ユニット
２３００    情報読取装置
２３０１    ホストコンピュータ
２３０２    通信ケーブル
【図１】
2011245770.tif 000003
【図２】
2011245770.tif 000004
【図３】
2011245770.tif 000005
【図４】
2011245770.tif 000006
【図５】
2011245770.tif 000007
【図６】
2011245770.tif 000008
【図７】
2011245770.tif 000009
【図８】
2011245770.tif 000010
【図９】
2011245770.tif 000011
【図１０】
2011245770.tif 000012
【図１１】
2011245770.tif 000013
【図１２】
2011245770.tif 000014
【図１３】
2011245770.tif 000015
【図１４】
2011245770.tif 000016
【図１５】
2011245770.tif 000017
【図１６】
2011245770.tif 000018
【図１７】
2011245770.tif 000019
【図１８】
2011245770.tif 000020
【図１９】
2011245770.tif 000021
【図２０】
2011245770.tif 000022
【図２１】
2011245770.tif 000023
【図２２】
2011245770.tif 000024
【図２３】
2011245770.tif 000025
【図２４】
2011245770.tif 000026
【図２５】
2011245770.tif 000027
【図２６】
2011245770.tif 000028
【図２７】
2011245770.tif 000029
【図２８】
2011245770.tif 000030
【図２９】
2011245770.tif 000031
【図３０】
2011245770.tif 000032
【図３１】
2011245770.tif 000033